(57)【特許請求の範囲】
【請求項１】
第１の通信路を介して通信端末と通信を行う第１の通信部と、
前記第１の通信路とは異なる第２の通信路を介して前記通信端末と通信を行う第２の通信部と、
を備え、
前記第１の通信部は、前記第２の通信路を確立するための接続情報を、前記通信端末から受信し、
前記第２の通信部は、
前記第１の通信部が受信した前記接続情報に基づいて、前記通信端末との間で前記第２の通信路を確立し、
基地局を介した無線通信方式によるネットワークを介して前記通信端末をサービス提供装置に接続させる接続要求を、前記通信端末に対して送信し、
前記通信端末が前記サービス提供装置から受信したサービスデータを、前記通信端末から受信し、
前記通信端末は、前記接続要求によらずにサービス提供装置と通信を行い、前記サービス提供装置において提供されるサービスを受けることが可能である、情報処理装置。
【請求項２】
前記第１の通信路は、所定の周波数の搬送波を用いて確立される、請求項１に記載の情報処理装置。
【請求項３】
前記所定の周波数は１３．５６ＭＨｚである、請求項２に記載の情報処理装置。
【請求項４】
前記第２の通信部は、
前記第２の通信路を介して通信切断要求を前記通信端末に送信し、
前記通信切断要求を送信した後、前記第２の通信路を介した前記通信端末との通信を切断する、請求項１に記載の情報処理装置。
【請求項５】
前記通信端末は、前記第２の通信部が送信した通信切断要求に基づいて前記サービス提供装置との通信を切断する、請求項４に記載の情報処理装置。
【請求項６】
前記第１の通信路を介した通信を要求する通信要求情報が示す内容を表示する表示部をさらに備える、請求項１〜５のいずれか１項に記載の情報処理装置。
【請求項７】
前記通信要求情報が示す内容が前記表示部に表示されたとき、前記第１の通信部は、前記接続情報の取得を要求する接続情報取得要求を前記通信端末に送信する、請求項６に記載の情報処理装置。
【請求項８】
前記第１の通信部は、前記接続情報取得要求に応じて前記通信端末から送信される前記接続情報を受信する、請求項７に記載の情報処理装置。
【請求項９】
通信端末と通信を行うことが可能な第１の通信路とは異なる第２の通信路を確立するための接続情報を、前記第１の通信路を介して前記通信端末から受信する第１受信ステップと、
前記第１受信ステップにおいて受信された前記接続情報に基づいて、前記通信端末との間で前記第２の通信路を確立するステップと、
前記第２の通信路を介して、基地局を介した無線通信方式によるネットワークを介して前記通信端末をサービス提供装置に接続させる接続要求を、前記通信端末に対して送信するステップと、
前記通信端末が前記サービス提供装置から受信したサービスデータを、前記第２の通信路を介して前記通信端末から受信する第２受信ステップと、
を有し、
前記通信端末は、前記接続要求によらずにサービス提供装置と通信を行い、前記サービス提供装置において提供されるサービスを受けることが可能である、情報処理方法。
【請求項１０】
通信端末と通信を行うことが可能な第１の通信路とは異なる第２の通信路を確立するための接続情報を、前記第１の通信路を介して前記通信端末から受信する第１受信ステップ、
前記第１受信ステップにおいて受信された前記接続情報に基づいて、前記通信端末との間で前記第２の通信路を確立するステップ、
前記第２の通信路を介して、基地局を介した無線通信方式によるネットワークを介して前記通信端末をサービス提供装置に接続させる接続要求を、前記通信端末に対して送信するステップ、
前記通信端末が前記サービス提供装置から受信したサービスデータを、前記第２の通信路を介して前記通信端末から受信する第２受信ステップ、
をコンピュータに実行させ、
前記通信端末は、前記接続要求によらずにサービス提供装置と通信を行い、前記サービス提供装置において提供されるサービスを受けることが可能である、プログラム。
【請求項１１】
第１の通信路を介して情報処理装置と通信する第３の通信部と、
前記第１の通信路とは異なる第２の通信路を介して前記情報処理装置と通信する第４の通信部と、
を備え、
前記第３の通信部は、前記第２の通信路を確立するための接続情報を、前記情報処理装置に送信し、
前記第４の通信部は、
前記接続情報に基づいて前記第２の通信路を確立し、
基地局を介した無線通信方式によるネットワークを介してサービス提供装置に接続するための接続要求を受信し、
前記接続要求に基づいて接続した前記サービス提供装置から受信したサービスデータを、前記情報処理装置に送信し、
前記接続要求によらずにサービス提供装置と通信を行い、前記サービス提供装置において提供されるサービスを受けることが可能である、通信端末。
【請求項１２】
前記第１の通信路は、所定の周波数の搬送波を用いて確立される、請求項１１に記載の通信端末。
【請求項１３】
前記所定の周波数は１３．５６ＭＨｚである、請求項１２に記載の通信端末。
【請求項１４】
前記第４の通信部は、前記第２の通信路を介して通信切断要求を前記情報処理装置から受信した場合には、前記第２の通信路を介した前記情報処理装置との通信を切断する、請求項１１に記載の通信端末。
【請求項１５】
前記第４の通信部は、受信した前記通信切断要求に基づいて、前記サービス提供装置との通信を切断する、請求項１４に記載の通信端末。
【請求項１６】
前記第３の通信部は、前記接続情報の取得を要求する接続情報取得要求を、前記情報処理装置から受信する、請求項１１〜１５のいずれか１項に記載の通信端末。
【請求項１７】
前記第３の通信部は、前記接続情報取得要求に応じて、前記接続情報を前記情報処理装置に送信する、請求項１６に記載の通信端末。
【請求項１８】
情報処理装置と通信を行うことが可能な第１の通信路とは異なる第２の通信路を確立するための接続情報を、前記第１の通信路を介して前記情報処理装置に送信する第１送信ステップと、
前記接続情報に基づいて、前記情報処理装置との間で前記第２の通信路を確立するステップと、
前記第２の通信路を介して、基地局を介した無線通信方式によるネットワークを介してサービス提供装置に接続するための接続要求を受信するステップと、
前記接続要求に基づいて接続した前記サービス提供装置から受信したサービスデータを、前記第２の通信路を介して前記情報処理装置に送信する第２送信ステップと、
を有し、
前記接続要求によらずにサービス提供装置と通信を行い、前記サービス提供装置において提供されるサービスを受けることが可能である、情報処理方法。
【請求項１９】
情報処理装置と通信を行うことが可能な第１の通信路とは異なる第２の通信路を確立するための接続情報を、前記第１の通信路を介して前記情報処理装置に送信する第１送信ステップ、
前記接続情報に基づいて、前記情報処理装置との間で前記第２の通信路を確立するステップ、
前記第２の通信路を介して、基地局を介した無線通信方式によるネットワークを介してサービス提供装置に接続するための接続要求を受信するステップ、
前記接続要求に基づいて接続した前記サービス提供装置から受信したサービスデータを、前記第２の通信路を介して前記情報処理装置に送信する第２送信ステップ、
をコンピュータに実行させ、
前記接続要求によらずにサービス提供装置と通信を行い、前記サービス提供装置において提供されるサービスを受けることが可能である、プログラム。
【発明の詳細な説明】
【技術分野】
【０００１】
本発明は、情報処理システム、通信端末、情報処理装置、およびプログラムに関する。
【背景技術】
【０００２】
近年、携帯電話などの通信端末の高機能化が進んでおり、ユーザは、例えば、基地局などを介することによって様々なサービスを提供するサーバ（Server）などのサービス提供装置に接続し、当該サービスを享受することが可能となっている。また、上記のような通信端末は、例えば、ＰＣ（Personal  Computer）やカー・ナビゲーション装置など、上記サーバなどと直接的に通信を行うことができない情報処理装置と接続されることによって、当該情報処理装置と上記サーバとを間接的に通信可能とすることもできる。
【０００３】
このような中、通信端末を介して情報処理装置とサービスを提供するサービス提供装置との間で間接的に通信する技術が開発されている。ＰＣ（情報処理装置）と携帯電話装置（通信端末）とを接続し、ＰＣ（情報処理装置）から携帯電話装置（通信端末）を介して携帯電話装置（通信端末）用のコンテンツへアクセスする技術としては、例えば、特許文献１が挙げられる。
【０００４】
また、相異なる複数の通信方法を選択的に切り替えることによって、通信を行う通信対象の装置を特定して通信可能とする技術としては、例えば、特許文献２が挙げられる。
【先行技術文献】
【特許文献】
【０００５】
【特許文献１】特開２００５−９４１１１号公報
【特許文献２】特許第３６７１８８１号明細書
【発明の概要】
【発明が解決しようとする課題】
【０００６】
通信端末を介して情報処理装置とサービス提供装置との間で間接的に通信する従来の技術が適用された従来の情報処理装置のユーザは、当該情報処理装置がサービス提供装置と直接的に通信を行えない場合においても、当該情報処理装置を用いてサービス提供装置が提供するサービスを享受することができる。ここで、通信端末を介して情報処理装置とサービス提供装置との間で間接的に通信する従来の技術が適用された従来の情報処理システムでは、従来の情報処理装置において従来のサービス提供装置が提供するサービスを享受するために、従来の情報処理装置が処理の主体となってサービスに係る一連の処理が行われる。
【０００７】
しかしながら、世間一般において提供されるサービスは、従来の情報処理システムが対象としているように、従来の情報処理装置が処理の主体となってサービスに係る一連の処理を行えるものであるとは限らない。例えば、以下の（１）〜（３）のように、処理の主体が変化する場合である。
【０００８】
（１）第１購買処理＜処理の主体：携帯電話（従来の通信端末）＞
携帯電話（従来の通信端末）がサーバ（従来のサービス提供装置）に接続し、地図データの購入を行う。
【０００９】
（２）接続処理＜処理の主体：携帯電話（従来の通信端末）＞
携帯電話（従来の通信端末）は、カー・ナビゲーション装置（従来の情報処理装置）との接続処理を行う。そして、携帯電話（従来の通信端末）は、上記（１）における購入処理に係る情報をカー・ナビゲーション装置（従来の情報処理装置）へ送信する。
【００１０】
（３）第２購買処理＜処理の主体：カー・ナビゲーション装置（従来の情報処理装置）＞
カー・ナビゲーション装置（従来の情報処理装置）は、上記（３）において受信された購入処理に係る情報に基づいて、携帯電話（従来の通信端末）を介してサーバ（従来のサービス提供装置）に間接的に接続する。そして、カー・ナビゲーション装置（従来の情報処理装置）は、上記（２）において受信された購入処理に係る情報に基づいて、購入した地図データをダウンロードする。
【００１１】
上記（１）〜（３）に示すように処理の主体が変化する場合には、ユーザは、従来の通信端末または従来の情報処理装置に対して、上記（１）〜（３）それぞれの処理を独立に行わせなければならない。そのため、上記（１）〜（３）に示すように処理の主体が変化するサービスが提供される従来の情報処理システムでは、ユーザの利便性を著しく低下させていた。
【００１２】
ここで、通信端末を介して情報処理装置とサービス提供装置との間で間接的に通信する従来の技術が適用された従来の情報処理システムは、上記（３）の処理のみを対象とするものである。また、相異なる複数の通信方法を選択的に切り替える従来の技術を従来の情報処理装置および従来の通信端末にさらに適用したとしても、上記（２）の処理における利便性を向上させるに過ぎない。
【００１３】
したがって、従来の情報処理装置および従来の通信端末を用いたとしても、ユーザが、サービスを提供するサービス提供装置と直接的に通信できない情報処理装置を用いて、サービス提供装置が提供するサービスをシームレス（seamless）に享受することは困難である。そのため、サービスを提供するサービス提供装置と直接的に通信できない情報処理装置を用いて、サービス提供装置において提供されるサービスをシームレスに受けることができる、ユーザの利便性を向上させた情報処理システムが希求されていた。
【００１４】
本発明は、上記問題に鑑みてなされたものであり、本発明の目的とするところは、サービスを提供するサービス提供装置と通信端末を介して間接的に通信する情報処理装置を用いて、サービス提供装置において提供されるサービスをシームレスに受けることが可能な、新規かつ改良された情報処理システム、通信端末、情報処理装置、およびプログラムを提供することにある。
【課題を解決するための手段】
【００１５】
上記目的を達成するために、本発明の第１の観点によれば、サービスの提供に関するサービスデータを記憶する少なくとも１以上のサービス提供装置と、上記サービス提供装置と通信可能な通信端末と、上記通信端末を介して上記サービス提供装置と通信し、上記サービス提供装置との間で上記サービス提供装置が提供するサービスに関するサービス処理を行うことが可能な情報処理装置とを有し、上記通信端末は、上記サービス提供装置と通信を行う端末側第１通信部と、所定周波数の搬送波を用いた第１の通信路により上記情報処理装置と通信し、上記第１の通信路とは異なる第２の通信路を上記情報処理装置との間で形成するための接続情報を上記情報処理装置へ送信する端末側第２通信部と、上記接続情報に基づく上記第２の通信路により上記情報処理装置と通信を行う端末側第３通信部と、上記サービス提供装置との通信結果に応じて選択的に上記端末側第２通信部を介して上記接続情報を送信し、上記情報処理装置から送信される上記接続情報の受信結果通知に基づいて、上記情報処理装置との間の通信路を上記第１の通信路から上記第２の通信路へと切り替え、上記端末側第３通信部が上記情報処理装置から送信された接続命令を受信した場合には、上記端末側第１通信部を介して上記接続命令に対応するサービス提供装置と通信可能な状態とし、上記端末側第１通信部と上記端末側第３通信部とを接続して、上記情報処理装置と上記接続命令に対応するサービス提供装置とを通信可能とする端末側通信制御部とを備え、上記情報処理装置は、上記第１の通信路により上記通信端末と通信を行う装置側第１通信部と、上記第２の通信路により上記通信端末と通信を行う装置側第２通信部と、上記装置側第１通信部における上記接続情報の受信に応じた受信結果通知を上記装置側第１通信部を介して送信し、上記装置側第１通信部が受信した上記接続情報に基づいて、上記装置側第２通信部に上記第２の通信路を形成させ、上記装置側第２通信部における上記第２の通信路の形成結果に基づいて上記通信端末との間の通信路を上記第１の通信路から上記第２の通信路へと切り替える装置側通信制御部と、上記装置側通信制御部における通信路の切り替えに応じて、通信を行うサービス提供装置が指定された上記接続命令を上記装置側第２通信部を介して送信し、上記装置側第２通信部を介して上記接続命令に対応するサービス提供装置と通信し、上記サービス提供装置との間で上記サービス処理を行う装置側処理部とを備える、情報処理システムが提供される。
【００１６】
かかる構成により、サービスを提供するサービス提供装置と通信端末を介して間接的に通信する情報処理装置を用いて、サービス提供装置において提供されるサービスをシームレスに受けることが可能な情報処理システムが実現される。
【００１７】
また、上記情報処理装置は、上記第１の通信路による通信を要求する通信要求情報を表示可能な表示部をさらに備え、上記装置側処理部は、上記表示部に上記通信要求情報が表示される場合には、上記接続情報の取得を要求する接続情報取得要求を生成し、生成した上記接続情報取得要求を上記装置側第１通信部を介して上記通信端末へ送信してもよい。
【００１８】
また、上記通信端末の上記端末側通信制御部は、上記端末側第２通信部が上記接続情報取得要求を受信した場合には、上記端末側第２通信部から上記接続情報を送信してもよい。
【００１９】
また、上記通信端末は、上記サービス提供装置との通信結果に基づいて、少なくとも上記サービス提供装置に接続するためのサービス提供装置接続情報と、上記通信端末と上記サービス提供装置との間のセッションを特定するセッション情報とを含む接続先情報を生成する端末側処理部をさらに備え、上記端末側処理部は、上記端末側第２通信部または上記第３通信部を介して上記接続先情報を上記情報処理装置へ送信してもよい。
【００２０】
また、上記情報処理装置の上記装置側処理部は、上記サービス提供装置との間の上記サービス処理が完了した場合には、サービス提供装置との間の通信を切断する通信切断要求を上記装置側第２通信部を介して上記通信端末へ送信し、上記通信端末の上記端末側通信制御部は、上記端末側第３通信部が上記通信切断要求を受信した場合には、上記端末側第１通信部が通信しているサービス提供装置との間の通信を切断してもよい。
【００２１】
また、上記目的を達成するために、本発明の第２の観点によれば、サービスの提供に関するサービスデータを記憶する少なくとも１以上のサービス提供装置と通信を行う端末側第１通信部と、所定周波数の搬送波を用いた第１の通信路により、上記サービス提供装置との間で上記サービス提供装置が提供するサービスに関するサービス処理を行うことが可能な情報処理装置と通信し、上記第１の通信路とは異なる第２の通信路を上記情報処理装置との間で形成するための接続情報を上記情報処理装置へ送信する端末側第２通信部と、上記接続情報に基づく上記第２の通信路により上記情報処理装置と通信を行う端末側第３通信部と、上記サービス提供装置との通信結果に応じて選択的に上記端末側第２通信部を介して上記接続情報を送信し、上記情報処理装置から送信される上記接続情報の受信結果通知に基づいて、上記情報処理装置との間の通信路を上記第１の通信路から上記第２の通信路へと切り替え、上記端末側第３通信部が上記情報処理装置から送信された接続命令を受信した場合には、上記端末側第１通信部を介して上記接続命令に対応するサービス提供装置と通信可能な状態とし、上記端末側第１通信部と上記端末側第３通信部とを接続して、上記情報処理装置と上記接続命令に対応するサービス提供装置とを通信可能とする端末側通信制御部とを備える通信端末が提供される。
【００２２】
かかる構成により、サービスを提供するサービス提供装置と通信端末を介して間接的に通信する情報処理装置を用いて、サービス提供装置において提供されるサービスをシームレスに受けることが可能な情報処理システムの一部を構成することができる。
【００２３】
また、上記端末側通信制御部は、上記端末側第２通信部が上記情報処理装置から送信された上記接続情報の取得を要求する接続情報取得要求を受信した場合には、上記端末側第２通信部を介して上記接続情報を送信してもよい。
【００２４】
また、上記目的を達成するために、本発明の第３の観点によれば、所定周波数の搬送波を用いた第１の通信路によって、サービスの提供に関するサービスデータを記憶する少なくとも１以上のサービス提供装置と通信可能な通信端末と通信を行う装置側第１通信部と、上記第１の通信路とは異なる第２の通信路により上記通信端末と通信を行う装置側第２通信部と、上記装置側第１通信部が受信した、上記通信端末から送信される上記第２の通信路を形成するための接続情報に基づいて、上記装置側第２通信部に上記第２の通信路を形成させ、上記装置側第２通信部における上記第２の通信路の形成結果に基づいて上記通信端末との間の通信路を上記第１の通信路から上記第２の通信路へと切り替える装置側通信制御部と、上記装置側通信制御部における通信路の切り替えに応じて、通信を行うサービス提供装置が指定された接続命令を上記装置側第２通信部を介して上記通信端末へ送信し、上記通信端末から送信される上記接続命令の受信結果に基づいて、上記装置側第２通信部を介して上記接続命令に対応するサービス提供装置と通信し、上記サービス提供装置との間で上記サービス提供装置が提供するサービスに関するサービス処理を行う装置側処理部とを備える情報処理装置が提供される。
【００２５】
かかる構成により、サービスを提供するサービス提供装置と通信端末を介して間接的に通信する情報処理装置を用いて、サービス提供装置において提供されるサービスをシームレスに受けることが可能な情報処理システムの一部を構成することができる。
【００２６】
また、上記第１の通信路による通信を要求する通信要求情報を表示可能な表示部をさらに備え、上記装置側処理部は、上記表示部に上記通信要求情報が表示される場合には、上記接続情報の取得を要求する接続情報取得要求を生成し、生成した上記接続情報取得要求を上記装置側第１通信部を介して上記通信端末へ送信してもよい。
【００２７】
上記目的を達成するために、本発明の第４の観点によれば、コンピュータを、サービスの提供に関するサービスデータを記憶する少なくとも１以上のサービス提供装置と通信を行う第１通信手段、所定周波数の搬送波を用いた第１の通信路により、上記サービス提供装置との間で上記サービス提供装置が提供するサービスに関するサービス処理を行うことが可能な情報処理装置と通信し、上記第１の通信路とは異なる第２の通信路を上記情報処理装置との間で形成するための接続情報を上記情報処理装置へ送信する第２通信手段、上記接続情報に基づく上記第２の通信路により上記情報処理装置と通信を行う第３通信手段、上記サービス提供装置との通信結果に応じて選択的に上記第２通信手段を介して上記接続情報を送信し、上記情報処理装置から送信される上記接続情報の受信結果通知に基づいて、上記情報処理装置との間の通信路を上記第１の通信路から上記第２の通信路へと切り替え、上記第３通信手段が上記情報処理装置から送信された接続命令を受信した場合には、上記第１通信手段を介して上記接続命令に対応するサービス提供装置と通信可能な状態とし、上記第１通信手段と上記第３通信手段とを接続して、上記情報処理装置と上記接続命令に対応するサービス提供装置とを通信可能とする通信制御手段として機能させるためのプログラムが提供される。
【００２８】
かかるプログラムにより、サービスを提供するサービス提供装置と通信端末を介して間接的に通信する情報処理装置を用いて、サービス提供装置において提供されるサービスをシームレスに受けることが可能な情報処理システムが実現される。
【００２９】
また、上記目的を達成するために、本発明の第５の観点によれば、コンピュータを、所定周波数の搬送波を用いた第１の通信路によって、サービスの提供に関するサービスデータを記憶する少なくとも１以上のサービス提供装置と通信可能な通信端末と通信を行う第１通信手段、上記第１の通信路とは異なる第２の通信路により上記通信端末と通信を行う第２通信手段、上記第１通信手段が受信した、上記通信端末から送信される上記第２の通信路を形成するための接続情報に基づいて、上記第２通信手段に上記第２の通信路を形成させ、上記第２通信手段における上記第２の通信路の形成結果に基づいて上記通信端末との間の通信路を上記第１の通信路から上記第２の通信路へと切り替える通信制御手段、上記通信制御手段における通信路の切り替えに応じて、通信を行うサービス提供装置が指定された接続命令を上記第２通信手段を介して上記通信端末へ送信し、上記通信端末から送信される上記接続命令の受信結果に基づいて、上記第２通信手段を介して上記接続命令に対応するサービス提供装置と通信し、上記サービス提供装置との間で上記サービス提供装置が提供するサービスに関するサービス処理を行う処理手段として機能させるためのプログラムが提供される。
【００３０】
かかるプログラムにより、サービスを提供するサービス提供装置と通信端末を介して間接的に通信する情報処理装置を用いて、サービス提供装置において提供されるサービスをシームレスに受けることが可能な情報処理システムが実現される。
【発明の効果】
【００３１】
本発明によれば、サービスを提供するサービス提供装置と通信端末を介して間接的に通信する情報処理装置を用いて、サービス提供装置において提供されるサービスをシームレスに受けることができる。
【図面の簡単な説明】
【００３２】
【図１】本発明の実施形態に係る情報処理システムの構成の一例を示す説明図である。
【図２】本発明の実施形態に係る通信端末のハードウェア構成の一例を示す説明図である。
【図３】本発明の実施形態に係る通信端末における処理の概要の一例を示す流れ図である。
【図４】本発明の実施形態に係る情報処理装置のハードウェア構成の一例を示す説明図である。
【図５】本発明の実施形態に係る情報処理装置における処理の概要の一例を示す流れ図である。
【図６】本発明の実施形態に係る情報処理システムにおける処理の第１の例の流れを示す流れ図である。
【図７】本発明の実施形態に係る情報処理システムにおける処理の第２の例の流れを示す流れ図である。
【発明を実施するための形態】
【００３３】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００３４】
（本発明の実施形態に係る情報処理システム）
図１は、本発明の実施形態に係る情報処理システム１０００の構成の一例を示す説明図である。図１を参照すると、情報処理システム１０００は、通信端末１００と、情報処理装置２００と、少なくとも１つ以上のサービス提供装置３００、・・・とを有する。通信端末１００と、サービス提供装置３００、・・・それぞれとは、ネットワーク５００を介して接続される。また、情報処理装置２００は、サービス提供装置３００、・・・それぞれと直接的に通信を行うことはできないが、通信端末１００と接続することによって、通信端末１００を介して間接的にサービス提供装置３００、・・・それぞれと通信を行うことができる。
【００３５】
ここで、ネットワーク５００としては、例えば、基地局を介した無線ＷＡＮ（ＷＷＡＮ；Wireless  Wide  Area  Network）や、無線ＭＡＮ（ＷＭＡＮ；Wireless  Metropolitan  Area  Network）などが挙げられるが、上記に限られない。また、本発明の実施形態に係る「接続」とは、例えば、装置間において通信が可能な状態にある（あるいは、装置間において通信が可能な状態とする）ことをいう。
【００３６】
以下、情報処理システム１０００を構成する通信端末１００、情報処理装置２００、およびサービス提供装置３００、…それぞれについて、説明する。なお、以下では、少なくとも１つ以上のサービス提供装置のうちサービス提供装置３００について説明し、その他のサービス提供装置については、同様の構成を有することができるため、説明を省略する。また、以下では、通信端末１００がサービス提供装置３００と通信を行い、情報処理装置２００がサービス提供装置３００と間接的に通信を行う場合を例に挙げて説明する。
【００３７】
[１]サービス提供装置３００
まず、サービス提供装置３００について説明する。サービス提供装置３００は、記憶部３０２と、通信部３０４と、制御部３０６とを備え、接続してきた装置に対して、自装置において提供している所定のサービスを提供する役目を果たす。ここで、サービス提供装置３００が提供する所定のサービスとしては、例えば、アプリケーションのダウンロード販売サービスや、地図データなどの各種データのダウンロード販売サービス、広告やクーポンなどの情報提供サービスなどが挙げられるが、上記に限られない。
【００３８】
また、サービス提供装置３００は、例えば、制御部３０６が使用するプログラムや演算パラメータなどの制御用データが記録されたＲＯＭ（Read  Only  Memory；図示せず）や、制御部３０６により実行されるプログラムなどを一次記憶するＲＡＭ（Random  Access  Memory；図示せず）、サービス提供装置３００の管理者が操作可能な操作部（図示せず）、表示部（図示せず）などを備えてもよい。サービス提供装置３００は、例えば、データの伝送路としてのバス（bus）により上記各構成要素間を接続する。
【００３９】
ここで、操作部（図示せず）としては、例えば、キーボードやマウスなどの操作入力デバイスや、ボタン、方向キー、ジョグダイヤルなどの回転型セレクター、あるいは、これらの組み合わせなどが挙げられるが、上記に限られない。また、表示部（図示せず）としては、例えば、ＬＣＤ（Liquid  Crystal  Display；液晶ディスプレイ）、有機ＥＬディスプレイ（organic  ElectroLuminescence  display；または、ＯＬＥＤディスプレイ（Organic  Light  Emitting  Diode  display）とも呼ばれる。）などが挙げられるが、上記に限られない。
【００４０】
記憶部３０２は、サービス提供装置３００が備える記憶手段であり、例えば、サービスの提供に関するサービスデータや、サービスの提供において制御部３０６などが使用する各種アプリケーション、販売された商品、金額、顧客などの情報が記録されたデータベースなどを記憶する。ここで、記憶部３０２に記憶されるサービスデータは、サービス提供装置３００が提供するサービスに応じたものである。例えば、サービス提供装置３００が上記ダウンロード販売サービスを提供する場合には、記憶部３０２には、ダウンロード販売サービスにおける商品としてのアプリケーションや、地図データなどのデータがサービスデータとして記憶される。また、サービス提供装置３００が上記情報提供サービスを提供する場合には、記憶部３０２には、広告情報が記録されたデータや、クーポン情報が記録されたデータがサービスデータとして記憶される。なお、図１では、記憶部３０２にサービスデータ３１０、３１２、・・・が記憶されている例を示している。
【００４１】
また、記憶部３０２としては、例えば、ハードディスク（Hard  Disk）などの磁気記録媒体や、ＥＥＰＲＯＭ（Electronically  Erasable  and  Programmable  Read  Only  Memory）、フラッシュメモリ（flash  memory）、ＭＲＡＭ（Magnetoresistive  Random  Access  Memory）、ＦｅＲＡＭ（Ferroelectric  Random  Access  Memory）、ＰＲＡＭ(Phase  change  Random  Access  Memory)などの不揮発性メモリ（nonvolatile  memory）が挙げられるが、上記に限られない。
【００４２】
通信部３０４は、サービス提供装置３００が備える通信手段であり、ネットワーク５００を介して接続してきた通信端末１００などの装置との間で、提供するサービスに関する通信を行う。ここで、通信部３０４が行う上記提供するサービスに関する通信としては、例えば、サービスデータの送信（通信端末１００側からみるとサービスデータのダウンロード）や、通信端末１００に対する情報処理装置２００への接続要求（以下、「第１接続要求」とよぶ場合がある。）の送信などが挙げられるが、上記に限られない。また、通信部３０４は、例えば、ネットワーク５００に対応する通信インタフェースを備えたハードウェアで構成することができる。
【００４３】
上記第１接続要求とは、通信端末１００における情報処理装置２００への通信開始のトリガとなる情報である。第１接続要求は、例えば、情報処理装置２００への接続命令や、サービス提供装置３００に対応するサイトＵＲＬの情報、通信端末１００との間の通信に係るセッション情報（例えば、通信端末１００との間における購買に関するセッションを特定する情報など）などを含むことができる。また、上記第１接続要求は、通信端末１００のユーザに対して情報処理装置２００へと接続するように促すメッセージを示すメッセージ情報をさらに含むこともできる。ここで、上記メッセージ情報が示すメッセージとしては、例えば、「タッチしてください」や「接続を行ってください」などが挙げられる。
【００４４】
制御部３０６は、例えば、ＭＰＵ（Micro  Processing  Unit）などで構成され、通信部３０４と接続された通信端末１００や情報処理装置２００などの各装置との間において、サービス提供装置３００が提供するサービスに関する処理（以下、「サービス処理」という。）を行う。ここで、制御部３０６が行うサービス処理としては、例えば、決済処理や、サービスデータ（例えば、商品となるデータやアプリケーション、あるいは、広告情報やクーポン情報など）の送信処理、第１接続要求の生成処理などが挙げられるが、上記に限られない。
【００４５】
サービス提供装置３００は、上記のような構成によって、接続された通信端末１００や情報処理装置２００などの各種装置に対して、サービスを提供することができる。なお、情報処理システム１０００における通信端末１００、情報処理装置２００、およびサービス提供装置３００の処理の具体例については後述する。
【００４６】
[２]通信端末１００
次に、通信端末１００について説明する。通信端末１００は、ネットワーク５００を介してサービス提供装置３００と直接的に通信可能な通信機能を有する通信装置である。また、通信端末１００は、情報処理装置２００と直接的に通信可能な他の通信機能を有し、情報処理装置２００とサービス提供装置３００とを間接的に通信可能とさせることができる。
【００４７】
また、通信端末１００は、異なる２つの通信路を用いて情報処理装置２００との間の通信を行う。通信端末１００の構成について説明する前に、通信端末１００が異なる２つの通信路を用いて情報処理装置２００と通信を行う意義について説明する。
【００４８】
（２−１）通信端末１００が異なる２つの通信路を用いて情報処理装置２００と通信を行う意義
通信端末１００や情報処理装置２００などの２つの装置間において通信を行う場合には、一般的に、より高速で、よりセキュアな通信方法が求められる。そのため、通信端末１００や情報処理装置２００などの２つの装置間は、例えば、ＩＥＥＥ８０２．１５．１を用いた無線通信や、ＩＥＥＥ８０２．１１ｂなどの無線ＬＡＮ（Wireless  Local  Area  Network）を用いた無線通信、または、ＬＡＮ（Local  Area  Network）を用いた有線通信などによって接続される。しかしながら、２つの装置間を上記のように有線／無線通信で接続する場合には、ユーザは、通信可能な状態とするために、例えば、ＩＰ（Internet  Protocol）アドレスの設定やＩＥＥＥ８０２．１５．１の通信設定などの各種接続設定を行う必要が往々としてある。ここで、上記のようにユーザに対して通信可能な状態とするための接続設定作業を強いる場合には、ユーザの利便性が著しく低下してしまう。また、上記のようにユーザに対して通信可能な状態とするための接続設定作業を強いる場合には、情報処理装置２００とサービス提供装置３００との間の通信のシームレス化は困難となる。
【００４９】
そこで、本発明の実施形態に係る通信端末１００では、上記ユーザによる所定の接続設定を不要とすることによって、ユーザの利便性の向上と、情報処理装置２００とサービス提供装置３００との間の通信のシームレス化を図る。具体的には、通信端末１００は、相異なる通信方法により通信が行われる第１の通信路と第２の通信路を用いて情報処理装置２００と通信を行うことによって、上記ユーザの利便性の向上と、上記通信のシームレス化とを図る。
【００５０】
ここで、上記第１の通信路は、ユーザによる特段の接続設定を要さずに情報処理装置２００との間で１対１に通信することが可能な通信方法によって形成される通信路である。本発明の実施形態に係る第１の通信路としては、例えば、１３．５６ＭＨｚなど特定の周波数の磁界（搬送波）を通信に用いるＮＦＣ（Near  Field  Communication）によって形成される通信路や、赤外線を通信に用いる赤外線通信によって形成される通信路などが上げられるが、上記に限られない。
【００５１】
また、上記第２の通信路は、情報処理装置２００と１対１に通信するために所定の接続設定が必要ではあるがより高速な通信が可能な通信方法によって形成される通信路である。本発明の実施形態に係る第２の通信路としては、例えば、ＩＥＥＥ８０２．１５．１を用いた無線通信や、ＩＥＥＥ８０２．１１ｂなどの無線ＬＡＮを用いた無線通信、または、ＬＡＮを用いた有線通信などが挙げられるが、上記に限られない。
【００５２】
以下、通信端末１００と情報処理装置２００との間における第１の通信路と第２の通信路を用いた通信方法について、より具体的に説明する。通信端末１００は、第１の通信路を利用することによって、情報処理装置２００に対して、例えば、接続情報や接続先情報などの各種情報を選択的に送信する。
【００５３】
ここで、上記接続情報とは、情報処理装置２００に第２の通信路を形成するための接続設定をさせる設定が記録された情報である。上記接続情報には、例えば、認証のためのＰＩＮ（Personal  Identification  Number）や、通信端末１００に設定されたプライベートＩＰアドレス、通信端末１００固有のＭＡＣアドレス（Media  Access  Control  address）などの情報を含むことができるが、上記に限られない。
【００５４】
また、上記接続先情報とは、情報処理装置２００からサービス提供装置３００へと接続するために用いられる接続先を規定する情報である。上記接続先情報には、例えば、サービス提供装置３００に（または、ネットワーク５００に）接続させるためのダイヤルアップ情報（サービス提供装置接続情報の一例）、サービス提供装置３００に対応するサイトＵＲＬの情報（サービス提供装置接続情報の一例）、通信端末１００とサービス提供装置３００との間の通信に係るセッション情報（例えば、通信端末１００とサービス提供装置３００との間における購買に関するセッションを特定する情報など）などを含むことができるが、上記に限られない。ここで、上記接続先情報は、通信端末１００が、サービス提供装置３００から受信した第１接続要求や、通信端末１００が予め記憶しているネットワーク５００に接続するためのダイヤルアップ情報などに基づいて生成することができる。
【００５５】
通信端末１００は、例えば、サービス提供装置３００との間の通信結果や、第１の通信路を介して情報処理装置２００から伝達される接続情報取得要求（後述する）に基づいて、予め記憶している接続情報や、生成した接続先情報などを情報処理装置２００に対して選択的に送信する。
【００５６】
通信端末１００が第１の通信路を介して上記接続情報を選択的に送信することによって、情報処理装置２００では、第２の通信路を形成するための接続設定がなされる。つまり、通信端末１００および情報処理装置２００のユーザは、第２の通信路の形成に係る接続設定を行う必要がない。したがって、通信端末１００は、異なる２つの通信路を用いて情報処理装置２００と通信を行うことによって、ユーザの利便性を向上させることができる。上記のように、本発明の実施形態に係る第１の通信路は、通信端末１００と情報処理装置２００との間における接続情報などの各種情報の送受信を行う情報伝達路としての役目を果たすことができる。
【００５７】
また、通信端末１００は、例えば、第１の通信路を介して情報処理装置２００から上記接続情報を受信した旨の接続情報の受信結果通知が受信された場合には、情報処理装置２００との間の通信路を、第１の通信路から上記接続情報に基づく第２の通信路へと切り替える。ここで、第１の通信路を介して送信した上記接続情報によって、情報処理装置２００では、第２の通信路を形成するための接続設定がなされるので、通信端末１００と情報処理装置２００とは、上記接続情報に基づく第２の通信路により通信を行うことができる。また、通信端末１００が第１の通信路を介して送信した上記接続先情報によって、情報処理装置２００では、サービス提供装置３００へと接続することが可能となる。
【００５８】
ここで、第２の通信路による通信は、第１の通信路による通信と比較して、例えば、より高速にかつセキュアに通信を行うことができ、また、通信距離を第１の通信路より長くすることもできる。したがって、通信端末１００と情報処理装置２００とが第２の通信路で接続されることによって、情報処理装置２００は、通信端末１００を介したサービス提供装置３００との間接的な通信をより安定的に行うことができる。そのため、情報処理システム１０００では、第２の通信路を、例えば、情報処理装置２００とサービス提供装置３００との間の通信路として用いる。つまり、本発明の実施形態に係る第２の通信路は、通信端末１００と情報処理装置２００との間における、サービス提供装置３００から送信されたサービスデータなどのデータの送受信を行うデータ伝送路としての役目を果たすことができる。
【００５９】
上記のように、通信端末１００が第１の通信路を用いて接続情報を選択的に送信することによって、通信端末１００と情報処理装置２００とは、ユーザによる接続設定を要さずにデータ伝送路としての第２の通信路を用いて通信を行うことができる。したがって、通信端末１００が異なる２つの通信路を用いて情報処理装置２００と通信を行うことによって、通信端末１００は、情報処理装置２００とサービス提供装置３００とをシームレスに接続させることができる。
【００６０】
以上のように、通信端末１００が異なる２つの通信路を用いて情報処理装置２００と通信を行うことによって、ユーザの利便性の向上と、情報処理装置２００とサービス提供装置３００との間の通信のシームレス化を図ることができる。
【００６１】
（２−２）通信端末１００の構成例
次に、通信端末１００の構成について説明する。通信端末１００は、端末側第１通信部１０２と、端末側第２通信部１０４と、端末側第３通信部１０６と、端末側通信制御部１０８と、端末側処理部１１０と、端末側記憶部１１２と、表示部１１４と、操作部１１６とを備える。
【００６２】
また、通信端末１００は、例えば、ＭＰＵなどで構成され通信端末１００全体を制御することが可能な制御部（図示せず）や、制御部が使用するプログラムや演算パラメータなどの制御用データが記録されたＲＯＭ（図示せず）、制御部により実行されるプログラムなどを一次記憶するＲＡＭ（図示せず）などを備えてもよい。通信端末１００は、例えば、データの伝送路としてのバスにより上記各構成要素間を接続する。また、上記制御部は、端末側通信制御部１０８と、端末側処理部１１０として機能することもできる。
【００６３】
[通信端末１００のハードウェア構成例]
図２は、本発明の実施形態に係る通信端末１００のハードウェア構成の一例を示す説明図である。図２を参照すると、通信端末１００は、例えば、第１通信インタフェース１５０と、無線通信アンテナ回路１５２と、搬送波送信回路１５４と、第２通信インタフェース１５６と、ＭＰＵ１５８と、ＲＯＭ１６０と、ＲＡＭ１６２と、記録媒体１６４と、入出力インタフェース１６６と、操作入力デバイス１６８と、表示デバイス１７０とを備える。また、通信端末１００は、例えば、データの伝送路としてのバス１７２で各構成要素間を接続する。
【００６４】
第１通信インタフェース１５０は、通信端末１００が備える第１の通信手段であり、端末側第１通信部１０２として機能する。第１通信インタフェース１５０は、ネットワーク５００を介して、サービス提供装置３００、…などの外部装置と無線通信（あるいは、有線通信）を行う役目を果たす。ここで、第１通信インタフェース１５０としては、例えば、ＲＦ（Radio  Frequency）回路などが挙げられるが、上記に限られない。
【００６５】
無線通信アンテナ回路１５２は、通信端末１００が備える第２の通信手段である。無線通信アンテナ回路１５２は、例えば、送受信アンテナとしての所定のインダクタンスをもつコイルおよび所定の静電容量をもつキャパシタからなる共振回路と、復調回路とから構成される。そして、無線通信アンテナ回路１５２は、例えば、１３．５６ＭＨｚの磁界（以下、「第１の搬送波」という。）を受信することによって、情報処理装置２００から送信される接続情報を要求する接続情報取得要求（後述する）などの各種命令を復調する。
【００６６】
搬送波送信回路１５４は、例えば、ＡＳＫ変調（Amplitude  Shift  Keying）を行う変調回路、変調回路の出力を増幅する増幅回路を備え、無線通信アンテナ回路１５２の送受信アンテナから搬送波信号をのせた第１の搬送波を送信する。搬送波送信回路１５４を備えることによって、通信端末１００は、いわゆるリーダ／ライタ機能を有することができる。ここで、搬送波送信回路１５４が無線通信アンテナ回路１５２から送信する搬送波信号としては、例えば、上記接続情報や、上記接続先情報などを示す信号が挙げられる。また、搬送波送信回路１５４は、例えば、ＭＰＵ１５８によって搬送波の送信が制御される。
【００６７】
したがって、無線通信アンテナ回路１５２と搬送波送信回路１５４とは、通信端末１００において、上記第１の通信路を形成する端末側第２通信部１０４として機能する。なお、図２では、第１の通信路がＮＦＣによって形成される構成を示しているが、上記に限られない。例えば、第１の通信路が赤外線通信によって形成される場合には、通信端末１００は、赤外線ポート（infrared  communication  port）および送受信回路などを備えることができる。
【００６８】
第２通信インタフェース１５６は、通信端末１００が備える第３の通信手段であり、端末側第３通信部１０６として機能する。第２通信インタフェース１５６は、通信端末１００において、上記第２の通信路を形成する通信インタフェースとして機能する。ここで、第２通信インタフェース１５６としては、例えば、ＩＥＥＥ８０２．１５．１ポートおよび送受信回路や、ＩＥＥＥ８０２．１１ｂポートおよび送受信回路、あるいはＬＡＮ端子および送受信回路などが挙げられるが、上記に限られない。
【００６９】
ＭＰＵ１５８は、通信端末１００全体を制御する制御部として機能する。また、ＭＰＵ１５８は、通信端末１００において、端末側通信制御部１０８および端末側処理部１１０の役目を果たすこともできる。
【００７０】
ＲＯＭ１６０は、ＭＰＵ１５８が使用するプログラムや演算パラメータなどの制御用データを記憶し、また、ＲＡＭ１６２は、ＭＰＵ１５８により実行されるプログラムなどを一次記憶する。
【００７１】
記録媒体１６４は、端末側記憶部１１２として機能し、接続情報や接続先情報、アプリケーションなどを記憶可能とする。ここで、記録媒体１６４としては、例えば、ハードディスクなどの磁気記録媒体や、フラッシュメモリなどの不揮発性メモリなどが挙げられるが、上記に限られない。
【００７２】
入出力インタフェース１６６は、例えば、操作入力デバイス１６８や、表示デバイス１７０を接続する。ここで、入出力インタフェース１６６としては、例えば、ＵＳＢ（Universal  Serial  Bus）端子や、ＤＶＩ（Digital  Visual  Interface）端子、ＨＤＭＩ（High-Definition  Multimedia  Interface）端子などが挙げられるが、上記に限られない。また、操作入力デバイス１６８は、例えば、ボタン、方向キー、ジョグダイヤルなどの回転型セレクター、あるいは、これらの組み合わせなど、通信端末１００上に備えられ、通信端末１００の内部で入出力インタフェース１６６と接続される。また、表示デバイス１７０は、例えば、ＬＣＤ、有機ＥＬディスプレイなど、通信端末１００上に備えられ、通信端末１００の内部で入出力インタフェース１６６と接続される。なお、入出力インタフェース１６６は、通信端末１００の外部装置としての操作入力デバイス（例えば、キーボードやマウスなど）や、表示デバイス（例えば、外部ディスプレイなど）と接続することもできることは、言うまでもない。
【００７３】
通信端末１００は、図２に示すようなハードウェア構成によって、サービス提供装置３００と通信端末１００を介して間接的に通信する情報処理装置２００を用いて、サービス提供装置３００において提供されるサービスをシームレスに受けることが可能となる情報処理システム１０００の一部を構成することができる。
【００７４】
再度図１を参照して、情報処理システム１０００を構成する通信端末１００の構成要素について説明する。端末側第１通信部１０２は、通信端末１００が備える第１の通信手段であり、ネットワーク５００を介して、サービス提供装置３００、…などの外部装置と無線通信（あるいは、有線通信）を行う役目を果たす。ここで、端末側第１通信部１０２としては、例えば、ＲＦ回路などが挙げられる。
【００７５】
端末側第２通信部１０４は、通信端末１００が備える第２の通信手段であり、上記第１の通信路により情報処理装置２００と通信を行う役目を果たす。ここで、端末側第２通信部１０４は、例えば、ＮＦＣや赤外線通信により情報処理装置２００と通信を行うことができるが、上記に限られない。
【００７６】
通信端末１００は、端末側第２通信部１０４を備えることによって、例えば、接続情報や接続先情報などの各種情報を第１の通信路によって情報処理装置２００へと伝達することができる。ここで、通信端末１００と情報処理装置２００とは、通信端末１００が上記接続情報を伝達することによって、第２の通信路を用いた通信が可能となる。したがって、通信端末１００は、上記接続先情報を第２の通信路を用いて情報処理装置２００へと伝達することもできる。
【００７７】
端末側第３通信部１０６は、通信端末１００が備える第３の通信手段であり、上記第２の通信路により情報処理装置２００と通信を行う役目を果たす。ここで、端末側第３通信部１０６は、例えば、ＩＥＥＥ８０２．１５．１を用いた無線通信や、ＩＥＥＥ８０２．１１ｂなどの無線ＬＡＮを用いた無線通信により情報処理装置２００と通信を行うことができるが、上記に限られない。
【００７８】
通信端末１００は、端末側第３通信部１０６を備えることによって、例えば、情報処理装置２００との間の通信をより高速かつよりセキュアなものとすることができる。
【００７９】
端末側通信制御部１０８は、端末側第１通信部１０２、端末側第２通信部１０４、および端末側第３通信部１０６をそれぞれ制御する役目を果たす。より具体的には、端末側通信制御部１０８は、例えば、以下の（Ａ）〜（Ｆ）に示すような処理を行う。
（Ａ）端末側第１通信部１０２を介してサービス提供装置３００と通信する
（Ｂ）端末側第２通信部１０４を介して情報処理装置２００と通信する（第１の通信路による通信。例えば、接続情報の送信）
（Ｃ）端末側第２通信部１０４による通信と、端末側第３通信部１０６による通信とを切り替える（第１の通信路と第２の通信路との切り替え）
（Ｄ）端末側第３通信部１０６を介して情報処理装置２００と通信する（第２の通信路による通信）
（Ｅ）端末側第３通信部１０６と端末側第１通信部１０２との双方を接続し、情報処理装置２００とサービス提供装置３００との通信を中継する（情報処理装置２００とサービス提供装置３００とを通信可能な状態とする）
（Ｆ）端末側第３通信部１０６が情報処理装置２００から通信切断要求（後述する）した場合には、サービス提供装置３００との間の通信や、情報処理装置２００との間の通信を切断する
【００８０】
ここで、端末側通信制御部１０８は、例えば、端末側処理部１１０からの各種命令や、情報処理装置２００から伝達される各種命令（例えば、後述する接続命令や、接続情報取得要求、通信切断要求など）などに基づいて、上記（Ａ）〜（Ｆ）の処理を行うことができる。
【００８１】
端末側処理部１１０は、通信端末１００において様々な処理を行う役目を果たす。また、端末側処理部１１０は、通信端末１００全体を制御する制御部として機能することもできる。端末側処理部１１０が行う処理としては、例えば、端末側第１通信部１０２を介してサービス提供装置３００との間で行うサービス処理や、接続先情報の生成処理、端末側通信制御部１０８への各種命令の生成・伝達処理などが挙げられるが、上記に限られない。
【００８２】
ここで、端末側処理部１１０が行うサービス処理としては、例えば、購入する商品の選択に係る処理や、当該商品の購入の決定に係る処理などが挙げられる。また、端末側処理部１１０は、サービス提供装置３００から送信される第１接続要求に基づいて、少なくともサービス提供装置３００に接続するためのサービス提供装置接続情報と、通信端末１００とサービス提供装置３００との間のセッションを特定するセッション情報とを含む接続先情報を生成する。サービス提供装置接続情報としては、例えば、サービス提供装置３００に（または、ネットワーク５００に）接続させるためのダイヤルアップ情報や、サービス提供装置３００に対応するサイトＵＲＬの情報などが挙げられるが、上記に限られない。
【００８３】
端末側記憶部１１２は、通信端末１００が備える記憶手段である。端末側記憶部１１２は、例えば、接続情報や、端末側処理部１１０が生成した接続先情報、端末側処理部１１０により実行されるアプリケーションなどが記憶される。ここで、上記接続情報は、例えば、操作部１１６の操作入力に基づいて端末側処理部１１０が生成して端末側記憶部１１２に記録される。なお、図１では、端末側記憶部１１２に接続情報１２０と接続先情報１２２が記憶されている例を示している。
【００８４】
また、端末側記憶部１１２としては、例えば、ハードディスクなどの磁気記録媒体や、フラッシュメモリなどの不揮発性メモリなどが挙げられるが、上記に限られない。
【００８５】
表示部１１４は、通信端末１００が備える表示手段であり、表示画面に様々な情報を表示する。表示部１１４の表示画面に表示される情報としては、例えば、所望する動作を通信端末１００に対して行わせるための操作画面や、ブラウジング画面、サービス提供装置３００から送信される第１接続要求に基づくメッセージの表示画面などが挙げられるが、上記に限られない。ここで、表示部１１４としては、例えば、ＬＣＤや有機ＥＬディスプレイなどが挙げられるが、上記に限られない。
【００８６】
操作部１１６は、ユーザによる所定の操作を可能とする通信端末１００の操作手段である。通信端末１００は、操作部１１６を備えることによって、例えば、サービス提供装置３００が提供する商品の選択や、商品購入の決定など可能とし、また、ユーザが所望する動作を通信端末１００に対して行わせることができる。ここで、操作部１１６としては、例えば、キーボードやマウスなどの操作入力デバイスや、ボタン、方向キー、ジョグダイヤルなどの回転型セレクター、あるいは、これらの組み合わせなどが挙げられるが、上記に限られない。
【００８７】
通信端末１００は、上記のような構成によって、サービス提供装置３００と直接的に通信を行うことができない情報処理装置２００と、サービス提供装置３００とを間接的に通信させる。また、通信端末１００は、情報処理装置２００がサービス提供装置３００との間でシームレスにサービス処理を行う（サービス提供装置において提供されるサービスをシームレスに受ける）ことを可能とする。以下、通信端末１００における処理の概要について、より具体的に説明する。
【００８８】
（２−３）通信端末１００における処理の概要
図３は、本発明の実施形態に係る通信端末１００における処理の概要の一例を示す流れ図である。
【００８９】
通信端末１００は、端末側第１通信部１０２を用いてサービス提供装置３００との通信を開始し（Ｓ１００）、サービス処理を行う（Ｓ１０２）。ここで、通信端末１００が行うサービス処理としては、例えば、購入する商品の選択や購入の決定に係る処理などが挙げられるが上記に限られない。
【００９０】
通信端末１００は、サービス提供装置３００との間のサービス処理の結果に基づいて、接続先情報を生成する（Ｓ１０４）。ここで、通信端末１００は、例えば、サービス提供装置３００から送信される第１接続要求に基づいて、少なくともサービス提供装置接続情報とセッション情報とを含む接続先情報を生成することができる。そして、通信端末１００は、サービス提供装置３００との間の通信を終了する（Ｓ１０６）。
【００９１】
また、通信端末１００は、サービス提供装置３００から送信された第１接続要求に含まれるメッセージ情報に基づいて、ユーザに対して情報処理装置２００との接続を促す旨のメッセージを表示部１１４に表示することができる。ここで、通信端末１００が表示部１１４に表示するメッセージとしては、例えば、「タッチしてください」など、第１の通信路を用いて情報処理装置２００と通信可能な通信範囲内への通信端末１００の移動を促すメッセージが挙げられるが、上記に限られない。
【００９２】
なお、図３では、通信端末１００が、ステップＳ１０４の処理の後に、ステップＳ１０６の処理を行う例を示しているが、上記に限られない。例えば、通信端末１００は、ステップＳ１０６の処理の後に、ステップＳ１０４の処理を行うこともできる。
【００９３】
ステップＳ１０６においてサービス提供装置３００との通信が終了すると、通信端末１００は、端末側第２通信部１０４を用いて情報処理装置２００へ接続情報と接続先情報とを送信する（Ｓ１０８；第１の通信路による通信）。ここで、通信端末１００は、例えば、無線通信アンテナ回路１５２の送受信アンテナから搬送波信号をのせた第１の搬送波を送信することによって、ステップＳ１０８の処理を行うことができるが、上記に限られない。
【００９４】
なお、図３では、通信端末１００が、ステップＳ１０８において、ステップＳ１０４で生成した接続先情報を送信する例を示しているが、上記に限られない。例えば、通信端末１００は、情報処理装置２００との間において第２の通信路による通信（端末側第３通信部１０６を用いた通信）が可能となった後に、第２の通信路を介して上記接続先情報を情報処理装置２００へと送信することもできる。
【００９５】
ステップＳ１０８において接続情報と接続先情報との送信を行うと、通信端末１００は、端末側第３通信部１０６を用いた通信（第２の通信路による通信）が可能となったか否かを判定する（Ｓ１１０）。ここで、通信端末１００は、例えば、情報処理装置２００から接続情報の受信に応じて送信される接続情報の受信結果通知を、端末側第２通信部１０４が受信した場合に、通信が可能となったと判定することができるが、上記に限られない。
【００９６】
ステップＳ１１０において、第２の通信路による通信が可能となったと判定されない場合には、通信端末１００は、ステップＳ１０８からの処理を繰り返す。なお、ステップＳ１０８の処理を行ってから所定の時間が経過しても、あるいは、ステップＳ１０８の処理を所定の回数繰り返しても第２の通信路による通信が可能となったと判定されない場合には、通信端末１００は処理を終了することができる（いわゆるタイムアウト）。また、このとき、通信端末１００は、端末側第１通信部１０２を用いてサービス提供装置３００へ再度接続し、第１接続要求（情報処理装置２００への接続要求）に基づく処理が失敗した旨の通知を行うこともできる。また、通信端末１００は、表示部１１４に警告メッセージを表示してもよい。
【００９７】
また、ステップＳ１１０において、第２の通信路による通信が可能となったと判定された場合には、通信端末１００は、情報処理装置２００との通信を端末側第３通信部１０６を用いた通信へと切り替える（Ｓ１１２；第２の通信路による通信）。
【００９８】
通信端末１００は、情報処理装置２００から第２の通信路を介して送信される接続命令に基づいて、当該接続命令に対応するサービス提供装置３００との通信を端末側第１通信部を用いて開始する（Ｓ１１４）。
【００９９】
そして、ステップＳ１１４においてサービス提供装置３００と接続されると、通信端末１００は、サービス提供装置３００と通信を行う端末側第１通信部１０２と、情報処理装置２００と通信を行う端末側第３通信部１０６とを接続する（Ｓ１１６）。通信端末１００がステップＳ１１６の処理を行うことによって、通信端末１００は、情報処理装置２００が通信端末１００を介してサービス提供装置３００と間接的に通信を行うことを可能にさせる。
【０１００】
通信端末１００は、情報処理装置２００（あるいは、サービス提供装置３００）から送信される通信切断要求に基づいて、端末側第１通信部１０２を用いたサービス提供装置３００との通信を終了する（Ｓ１１８）。
【０１０１】
また、通信端末１００は、情報処理装置２００から送信される通信切断要求に基づいて、端末側第３通信部１０６を用いた情報処理装置２００との通信を終了する（Ｓ１２０）。
【０１０２】
通信端末１００は、図３に示すような処理を行うことによって、サービス提供装置３００と直接的に通信を行うことができない情報処理装置２００と、サービス提供装置３００とを間接的に通信させることができる。
【０１０３】
また、通信端末１００は、ステップＳ１００〜Ｓ１１２までの処理については通信端末１００が能動的に行うが、ステップＳ１１４〜Ｓ１２０までの処理は情報処理装置２００からの各種命令に応じて受動的に行う。つまり、情報処理装置２００との間の通信を第２の通信路による通信に切り替えた後（ステップＳ１１４以降の処理）、通信端末１００は、情報処理装置２００とサービス提供装置３００との通信を中継する通信中継器としての役目を果たすこととなる。
【０１０４】
ここで、通信端末１００における能動的な処理と受動的な処理との切り替えは、ステップＳ１１２における情報処理装置２００との間の通信路の切り替えに連動して自動的に行われる。つまり、通信端末１００のユーザは、上記通信路の切り替えおよび上記処理の切り替えについて、何ら意識する必要はない。よって、ユーザは、サービス提供装置３００と通信端末１００を介して間接的に通信する情報処理装置２００を用いて、サービス提供装置３００において提供されるサービスをシームレスに享受することができる。
【０１０５】
したがって、通信端末１００は、サービス提供装置３００と通信端末１００を介して間接的に通信する情報処理装置２００を用いて、サービス提供装置３００において提供されるサービスをシームレスに受けることが可能となる情報処理システム１０００の一部を構成することができる。
【０１０６】
[３]情報処理装置２００
次に、情報処理システム１０００を構成する他の構成要素である情報処理装置２００について説明する。情報処理装置２００は、ネットワーク５００を介してサービス提供装置３００と直接的に通信する通信機能を有していない装置である。また、情報処理装置２００は、通信端末１００と直接的に通信可能な相異なる２つの通信機能を有する。ここで、情報処理装置２００が異なる２つの通信路を用いて通信端末１００と通信を行う意義は、上記（２−１）において示した理由と同様であるため、説明は省略する。
【０１０７】
通信端末１００と直接的に通信可能な通信機能を有することによって、情報処理装置２００は、通信端末１００を介してサービス提供装置３００と間接的に通信を行うことができる。以下、図１を再度参照して情報処理装置２００の構成について説明し、また、情報処理装置２００における処理の概要について説明する。
【０１０８】
（３−１）情報処理装置２００の構成例
情報処理装置２００は、装置側記憶部２０２と、装置側第１通信部２０４と、装置側第２通信部２０６と、装置側通信制御部２０８と、装置側処理部２１０と、表示部２１２と、操作部２１４とを備える。
【０１０９】
また、情報処理装置２００は、例えば、ＭＰＵなどで構成され情報処理装置２００全体を制御することが可能な制御部（図示せず）や、制御部が使用するプログラムや演算パラメータなどの制御用データが記録されたＲＯＭ（図示せず）、制御部により実行されるプログラムなどを一次記憶するＲＡＭ（図示せず）などを備えてもよい。情報処理装置２００は、例えば、データの伝送路としてのバスにより上記各構成要素間を接続する。また、上記制御部は、装置側通信制御部２０８と、装置側処理部２１０として機能することもできる。
【０１１０】
[情報処理装置２００のハードウェア構成例]
図４は、本発明の実施形態に係る情報処理装置２００のハードウェア構成の一例を示す説明図である。図４を参照すると、情報処理装置２００は、例えば、無線通信アンテナ回路２５０と、搬送波送信回路２５２と、通信インタフェース２５４と、ＭＰＵ２５６と、ＲＯＭ２５８と、ＲＡＭ２６０と、記録媒体２６２と、入出力インタフェース２６４と、操作入力デバイス２６６と、表示デバイス２６８とを備える。また、情報処理装置２００は、例えば、データの伝送路としてのバス２７０で各構成要素間を接続する。
【０１１１】
無線通信アンテナ回路２５０は、情報処理装置２００が備える第１の通信手段であり、通信端末１００との間で第１の通信を形成する役目を果たす。無線通信アンテナ回路２５０は、図２に示す通信端末１００が備える無線通信アンテナ回路１５２と同様に、例えば、送受信アンテナとしての所定のインダクタンスをもつコイルおよび所定の静電容量をもつキャパシタからなる共振回路と、復調回路とから構成される。上記構成によって、無線通信アンテナ回路２５０は、通信端末１００から送信される第１搬送波を復調し、接続情報や接続先情報などの各種情報を取得することができる。
【０１１２】
搬送波送信回路２５２は、図２に示す通信端末１００が備える搬送波送信回路１５４と同様に、例えば、ＡＳＫ変調を行う変調回路、変調回路の出力を増幅する増幅回路を備え、無線通信アンテナ回路２５０の送受信アンテナから搬送波信号をのせた第１の搬送波を送信する。搬送波送信回路２５２を備えることによって、情報処理装置２００は、いわゆるリーダ／ライタ機能を有することができる。ここで、搬送波送信回路２５２が無線通信アンテナ回路２５０から送信する搬送波信号としては、例えば、接続情報の受信に応じた接続情報受信結果や、通信端末１００にサービス提供装置３００へと接続させるための接続命令などを示す信号が挙げられる。また、搬送波送信回路２５２は、例えば、ＭＰＵ２５６によって搬送波の送信が制御される。
【０１１３】
したがって、無線通信アンテナ回路２５０と搬送波送信回路２５２とは、情報処理装置２００において、上記第１の通信路を形成する装置側第１通信部２０４として機能する。なお、図４では、第１の通信路がＮＦＣによって形成される構成を示しているが、上記に限られない。例えば、第１の通信路が赤外線通信によって形成される場合には、情報処理装置２００は、赤外線ポートおよび送受信回路などを備えることができる。つまり、情報処理装置２００は、装置側第１通信部２０４を、通信端末１００の端末側第２通信部１０４の構成に対応する構成とすることができる。
【０１１４】
通信インタフェース２５４は、情報処理装置２００が備える第２の通信手段である。通信インタフェース２５４は、通信端末１００との間で第２の通信を形成する役目を果たし、装置側第２通信部２０６として機能する。つまり、通信インタフェース２５４は、通信端末１００の端末側第３通信部１０６の構成（図２に示す第２通信インタフェース１５６と対応する構成）に対応する構成とすることができる。
【０１１５】
ＭＰＵ２５６は、情報処理装置２００全体を制御する制御部として機能する。また、ＭＰＵ２５６は、情報処理装置２００において、装置側通信制御部２０８および装置側処理部２１０の役目を果たすこともできる。
【０１１６】
ＲＯＭ２５８は、ＭＰＵ２５６が使用するプログラムや演算パラメータなどの制御用データを記憶し、また、ＲＡＭ２６０は、ＭＰＵ２５６により実行されるプログラムなどを一次記憶する。
【０１１７】
記録媒体２６２は、装置側記憶部２０２として機能し、通信端末１００から送信された接続情報や接続先情報、サービス提供装置３００から取得したサービスデータ、アプリケーションなどを記憶可能とする。ここで、記録媒体２６２としては、例えば、ハードディスクなどの磁気記録媒体や、フラッシュメモリなどの不揮発性メモリなどが挙げられるが、上記に限られない。
【０１１８】
入出力インタフェース２６４は、例えば、操作入力デバイス２６６や、表示デバイス２６８を接続する。ここで、入出力インタフェース２６４としては、例えば、ＵＳＢ端子や、ＤＶＩ端子、ＨＤＭＩ端子などが挙げられるが、上記に限られない。また、操作入力デバイス２６６は、例えば、ボタン、方向キー、ジョグダイヤルなどの回転型セレクター、あるいは、これらの組み合わせなど、情報処理装置２００上に備えられ、情報処理装置２００の内部で入出力インタフェース２６４と接続される。また、表示デバイス２６８は、例えば、ＬＣＤ、有機ＥＬディスプレイなど、情報処理装置２００上に備えられ、情報処理装置２００の内部で入出力インタフェース２６４と接続される。なお、入出力インタフェース２６４は、情報処理装置２００の外部装置としての操作入力デバイス（例えば、キーボードやマウスなど）や、表示デバイス（例えば、外部ディスプレイなど）と接続することもできることは、言うまでもない。
【０１１９】
情報処理装置２００は、図４に示すようなハードウェア構成によって、通信端末１００を介して間接的にサービス提供装置３００と通信を行い、サービス提供装置３００との間でサービス処理を行うことができる。また、上述したように、通信端末１００では、情報処理装置２００との間における通信路の切り替えと、能動的／受動的な処理の切り替えとが、サービス提供装置３００や情報処理装置２００との間の通信に係る一連の処理の中で、ユーザの切り替え操作を必要とせずに行われる。したがって、情報処理装置２００は、サービス提供装置３００と通信端末１００を介して間接的に通信する情報処理装置２００を用いて、サービス提供装置３００において提供されるサービスをシームレスに受けることが可能となる情報処理システム１０００の一部を構成することができる。
【０１２０】
再度図１を参照して、情報処理システム１０００を構成する情報処理装置２００の構成要素について説明する。装置側記憶部２０２は、情報処理装置２００が備える記憶手段である。装置側記憶部２０２は、例えば、通信端末１００から送信された接続情報や接続先情報、サービス提供装置３００から取得したサービスデータ、装置側処理部２１０により実行されるアプリケーションなどが記憶される。なお、図１では、装置側記憶部２０２に接続情報１２０、接続先情報１２２、およびサービスデータ３１２、…が記憶されている例を示している。
【０１２１】
また、装置側記憶部２０２としては、例えば、ハードディスクなどの磁気記録媒体や、フラッシュメモリなどの不揮発性メモリなどが挙げられるが、上記に限られない。
【０１２２】
装置側第１通信部２０４は、情報処理装置２００が備える第１の通信手段であり、上記第１の通信路により通信端末１００と通信を行う役目を果たす。ここで、装置側第１通信部２０４は、例えば、ＮＦＣや赤外線通信により通信端末１００と通信を行うことができるが、上記に限られない。
【０１２３】
情報処理装置２００は、装置側第１通信部２０４を備えることによって、例えば、通信端末１００から第１の通信路により送信される接続情報や接続先情報などの各種情報を取得することができる。なお、上述したように、通信端末１００と情報処理装置２００とは、通信端末１００が上記接続情報を伝達することによって、第２の通信路を用いた通信が可能となる。したがって、情報処理装置２００は、上記接続先情報を第２の通信路を用いて通信端末１００から取得することもできる。
【０１２４】
装置側第２通信部２０６は、情報処理装置２００が備える第２の通信手段であり、上記第２の通信路により通信端末１００と通信を行う役目を果たす。ここで、装置側第２通信部２０６は、例えば、ＩＥＥＥ８０２．１５．１を用いた無線通信や、ＩＥＥＥ８０２．１１ｂなどの無線ＬＡＮを用いた無線通信により情報処理装置２００と通信を行うことができるが、上記に限られない。
【０１２５】
情報処理装置２００は、装置側第２通信部２０６を備えることによって、例えば、通信端末１００との間の通信をより高速かつよりセキュアなものとすることができる。
【０１２６】
装置側通信制御部２０８は、装置側第１通信部２０４および装置側第２通信部２０６をそれぞれ制御する役目を果たす。より具体的には、装置側通信制御部２０８は、例えば、以下の（ａ）〜（ｅ）に示すような処理を行う。
（ａ）装置側第１通信部２０４を介して通信端末１００と通信する（第１の通信路による通信）
（ｂ）装置側第１通信部２０４における接続情報の受信に応じて、接続情報を受信した旨の「接続情報の受信結果」を通信端末１００へ送信する
（ｃ）装置側第１通信部２０４が受信した接続情報に基づいて、装置側第２通信部２０６の通信設定を行う（第２通信路の形成）
（ｄ）装置側第１通信部２０４による通信と、装置側第２通信部２０６による通信とを切り替える（第１の通信路と第２の通信路との切り替え）
（ｅ）装置側第２通信部２０６を介して通信端末１００と通信する（第２の通信路による通信）
【０１２７】
装置側処理部２１０は、情報処理装置２００において様々な処理を行う役目を果たす。また、装置側処理部２１０は、情報処理装置２００全体を制御する制御部として機能することもできる。装置側処理部２１０が行う処理としては、例えば、通信端末１００へ伝達する各種要求の生成処理や、装置側第２通信部２０６および通信端末１００を介してサービス提供装置３００との間で行うサービス処理などが挙げられるが、上記に限られない。
【０１２８】
ここで、装置側処理部２１０が生成する上記各種要求としては、例えば、通信端末１００から取得した接続先情報に基づく接続命令の生成や、接続情報取得要求の生成、通信切断要求の生成などが挙げられる。上記接続情報取得要求とは、通信端末１００に対して接続情報の送信を要求する命令を含む情報である。また、上記通信切断要求とは、通信端末１００に対して通信（サービス提供装置３００との間の通信や、情報処理装置２００との間の通信）の切断を要求する命令を含む情報である。
【０１２９】
装置側処理部２１０は、生成した上記接続命令、通信切断要求を、例えば、装置側第２通信部２０６を用いて（すなわち、第２の通信路により）通信端末１００へ送信させる。また、上記接続情報取得要求は、第２の通信路を形成するための接続情報を通信端末１００へ要求するものである。したがって、装置側処理部２１０は、生成した上記接続情報取得要求を、装置側第１通信部２０４を用いて（すなわち、第１の通信路により）通信端末１００へ送信させる。また、装置側処理部２１０は、例えば、サービス提供装置３００（または、ネットワーク５００）へと接続させるためのダイヤルアップ情報などを上記接続命令に含めてもよい。
【０１３０】
また、装置側処理部２１０が行うサービス処理としては、例えば、サービスデータのダウンロードの要求処理やサービスデータのダウンロード処理、サービスデータのダウンロードが完了した旨の完了通知の送信処理などが挙げられるが、上記に限られない。
【０１３１】
表示部２１２は、情報処理装置２００が備える表示手段であり、表示画面に様々な情報を表示する。表示部２１２の表示画面に表示される情報としては、例えば、所望する動作を情報処理装置２００に対して行わせるための操作画面や、ブラウジング画面、サービス処理の結果を示す画面、通信要求情報を表示する表示画面などが挙げられるが、上記に限られない。ここで、上記通信要求情報とは、第１の通信路による通信端末１００との通信を要求する情報である。上記通信要求情報としては、例えば、「タッチしてください」など、第１の通信路を用いて情報処理装置２００と通信可能な通信範囲内への通信端末１００の移動を促すメッセージが挙げられるが、上記に限られない。また、表示部２１２としては、例えば、ＬＣＤや有機ＥＬディスプレイなどが挙げられるが、上記に限られない。
【０１３２】
操作部２１４は、ユーザによる所定の操作を可能とする情報処理装置２００の操作手段である。情報処理装置２００は、操作部２１４を備えることによって、例えば、サービス提供装置３００が提供する商品の購入決定操作など可能とし、また、ユーザが所望する動作を情報処理装置２００に対して行わせることができる。ここで、操作部２１４としては、例えば、キーボードやマウスなどの操作入力デバイスや、ボタン、方向キー、ジョグダイヤルなどの回転型セレクター、あるいは、これらの組み合わせなどが挙げられるが、上記に限られない。
【０１３３】
情報処理装置２００は、上記のような構成によって、通信端末１００を介してサービス提供装置３００と間接的に通信を行う。したがって、情報処理装置２００は、サービス提供装置３００において提供されるサービスを受けることができる。以下、情報処理装置２００における処理の概要について、より具体的に説明する。
【０１３４】
（３−２）情報処理装置２００における処理の概要
図５は、本発明の実施形態に係る情報処理装置２００における処理の概要の一例を示す流れ図である。なお、以下では、通信端末１００と情報処理装置２００との間の第１の通信路がＮＦＣにより形成される場合を例に挙げて説明する。
【０１３５】
情報処理装置２００は、装置側第１通信部２０４が搬送波（第１の搬送波）を受信したか否かを判定する（Ｓ２００；第１の通信路による通信）。ここで、情報処理装置２００は、例えば、無線通信アンテナ回路２５０の通信アンテナの電圧の変化に基づいてステップＳ２００の判定を行うことができるが、上記に限られない。ステップＳ２００において装置側第１通信部２０４が搬送波（第１の搬送波）を受信したと判定されない場合には、情報処理装置２００は、処理を進めない。
【０１３６】
また、装置側第１通信部２０４が搬送波（第１の搬送波）を受信したと判定された場合には、情報処理装置２００は、搬送波信号を復調する（Ｓ２０２）。なお、情報処理装置２００は、ステップＳ２０２の結果を用いて、ステップＳ２００の判定を行うこともできる。上記の場合には、ステップＳ２００とステップＳ２０２とは、一つの処理と捉えることができる。
【０１３７】
ステップＳ２０２において搬送波信号が復調されると、情報処理装置２００は、通信端末１００から送信された接続情報が復調されたか否かを判定する（Ｓ２０４）。ステップＳ２０４において接続情報が復調されたと判定されない場合には、情報処理装置２００は、ステップＳ２００からの処理を繰り返す。
【０１３８】
また、ステップＳ２０４において接続情報が復調されたと判定された場合には、情報処理装置２００は、当該接続情報に基づいて、装置側第２通信部２０６の通信設定を行い、装置側第２通信部２０６を用いた通信へと切り替える（Ｓ２０６；第２の通信路による通信）。
【０１３９】
ステップＳ２０６において第２の通信路へと切り替えると、情報処理装置２００は、通信端末１００に対するサービス提供装置３００への接続命令を生成する（Ｓ２０８）。
【０１４０】
ステップＳ２０８において接続命令が生成されると、情報処理装置２００は、第２の通信路により当該接続命令を通信端末１００へ送信する（Ｓ２１０）。
【０１４１】
ステップＳ２１０において接続命令を送信すると、情報処理装置２００は、サービス提供装置３００との通信が可能となったか否かを判定する（Ｓ２１２）。ここで、情報処理装置２００は、例えば、通信端末１００から送信されるサービス提供装置３００と通信可能となった旨の接続結果の受信の有無に基づいて、ステップＳ２１２の判定を行うことができるが、上記に限られない。
【０１４２】
ステップＳ２１２においてサービス提供装置３００との通信が可能となったと判定されない場合には、情報処理装置２００は、例えば、ステップＳ２１０からの処理を繰り返す。
【０１４３】
また、ステップＳ２１２においてサービス提供装置３００との通信が可能となったと判定された場合には、情報処理装置２００は、通信端末１００を介したサービス提供装置３００との間接的な通信を開始する（Ｓ２１４）。ここで、情報処理装置２００は、例えば、通信端末１００から送信される接続先情報に含まれるサイトＵＲＬの情報などに基づいて、サービス提供装置３００に対応するＷｅｂサイトにアクセスすることができる。
【０１４４】
なお、情報処理装置２００は、例えば、第１の通信路により接続情報と併せて接続先情報を取得することができるが、上記に限られない。例えば、情報処理装置２００は、ステップＳ２０６の後、第２の通信により接続先情報を通信端末１００から取得することもできる。
【０１４５】
ステップＳ２１４において、通信端末１００を介したサービス提供装置３００との間接的な通信が開始されると、情報処理装置２００は、サービス提供装置３００との間でサービス処理を行い（Ｓ２１６）、サービス処理が完了したか否かを判定する（Ｓ２１８）。ここで、情報処理装置２００は、例えば、サービス提供装置３００から送信されたサービスデータの受信が完了したか否かでステップＳ２１８の判定を行うことができるが、上記に限られない。
【０１４６】
ステップＳ２１８においてサービス処理が完了したと判定されない場合には、情報処理装置２００は、例えば、ステップＳ２１６からの処理を繰り返す。
【０１４７】
また、ステップＳ２１８においてサービス処理が完了したと判定された場合には、情報処理装置２００は、通信切断要求を通信端末１００へ送信して、サービス提供装置３００および通信端末１００との通信を終了する（Ｓ２２０）。
【０１４８】
情報処理装置２００は、図５に示すような処理を行うことによって、通信端末１００を介してサービス提供装置３００とを間接的に通信することができる。
【０１４９】
また、情報処理装置２００は、通信端末１００から送信される接続情報に基づいて第２の通信路を形成し、通信端末１００との間の通信を第１の通信路から第２の通信路へと切り替える。そして、情報処理装置２００は、通信路が切り替わると、通信端末１００から取得した接続先情報に基づくサービス提供装置３００への接続命令を、通信端末１００へと送信する。上述したように、通信端末１００は、受信した上記接続命令に基づいてサービス提供装置３００に接続し、情報処理装置２００とサービス提供装置３００との通信を中継する通信中継器としての役目を果たすこととなる。
【０１５０】
ここで、通信端末１００との間の通信路の切り替えは、接続情報に基づいて自動的に行われる。また、上記接続命令の生成は、ステップＳ２０６における通信端末１００との間の通信路の切り替えに連動して自動的に行われる。つまり、情報処理装置２００のユーザは、上記通信路の切り替えおよび上記接続命令の生成について、何ら意識する必要はない。よって、ユーザは、サービス提供装置３００と通信端末１００を介して間接的に通信する情報処理装置２００を用いて、サービス提供装置３００において提供されるサービスをシームレスに享受することができる。
【０１５１】
したがって、情報処理装置２００は、サービス提供装置３００と通信端末１００を介して間接的に通信する情報処理装置２００を用いて、サービス提供装置３００において提供されるサービスをシームレスに受けることが可能となる情報処理システム１０００の一部を構成することができる。
【０１５２】
[４]情報処理システム１０００全体の処理の流れ
以上、情報処理システム１０００を構成する通信端末１００、情報処理装置２００、およびサービス提供装置３００それぞれについて説明した。次に、情報処理システム１０００全体の処理の流れについて、説明する。なお、以下では、サービス提供装置３００においてサービスデータのダウンロード販売サービスが提供されている場合を例に挙げて説明する。
【０１５３】
（４−１）第１の例
図６は、本発明の実施形態に係る情報処理システム１０００における処理の第１の例の流れを示す流れ図である。
【０１５４】
通信端末１００は、サービス提供装置３００へと接続し、サービス提供装置３００に対応するＷｅｂサイトにアクセスする（Ｓ３００）。そして、サービス提供装置３００は、商品一覧の情報を通信端末１００へ送信する（Ｓ３０２）。
【０１５５】
通信端末１００は、ステップＳ３０２において送信された商品一覧の情報に基づいて、購入する商品を選択する商品選択処理を行う（Ｓ３０４）。ここで、通信端末１００は、例えば、操作部１１６からの操作入力に基づいてステップＳ３０４の処理を行うことができる。
【０１５６】
通信端末１００は、ステップＳ３０４の商品選択処理の結果に基づく購入情報をサービス提供装置３００へ送信する（Ｓ３０６）。ここで、上記購入情報には、例えば、購入が選択された商品を識別する商品ＩＤや、購入する個数の情報などを含むことができる。
【０１５７】
ステップＳ３０６において送信された購入情報を受信したサービス提供装置３００は、取引内容の情報が記録された確認情報を通信端末１００へ送信する（Ｓ３０８）。
【０１５８】
ステップＳ３０８において送信された確認情報を受信した通信端末１００は、商品の購入を決定する場合には、購入決定情報をサービス提供装置３００へ送信する（Ｓ３１０）。
【０１５９】
ステップＳ３１０において送信された購入決定情報を受信したサービス提供装置３００は、第１接続要求を通信端末１００へ送信する（Ｓ３１２）。ここで、上記第１接続要求には、例えば、情報処理装置２００への接続命令や、サービス提供装置３００に対応するサイトＵＲＬの情報、通信端末１００との間の通信に係るセッション情報、通信端末１００のユーザに対して情報処理装置２００へと接続するように促すメッセージを示すメッセージ情報などが含まれる。
【０１６０】
ステップＳ３１２において第１接続要求を受信した通信端末１００は、サービス提供装置３００との通信を切断する（Ｓ３１４）。なお、ステップＳ３１２の処理の後、サービス提供装置３００が通信端末１００との通信を切断してもよい。
【０１６１】
通信端末１００は、ステップＳ３１２において受信した第１接続要求に基づいて、接続先情報を生成する（Ｓ３１６）。また、通信端末１００は、第１接続要求に含まれるメッセージ情報に基づいて、「タッチしてください」など、ユーザに対して情報処理装置２００へと接続するように促すメッセージを表示部１１４に表示することができるが、上記に限られない。例えば、通信端末１００は、第１接続要求に含まれるメッセージ情報に基づいて、上記のようなメッセージを音声によってユーザに提示することもできる。
【０１６２】
ステップＳ３１６において接続先情報が生成されると、通信端末１００は、端末側記憶部１１２に記憶された接続情報および当該接続先情報を、端末側第２通信部１０４を用いて情報処理装置２００へ送信する（Ｓ３１８；第１通信路による通信）。
【０１６３】
なお、図６では、通信端末１００がステップＳ３１８において接続先情報を送信する例を示しているが、上記に限られない。例えば、通信端末１００は、後述するステップＳ３２２とステップＳ３２４との間において、すなわち、第２の通信路によって、上記接続先情報を送信することもできる。
【０１６４】
ステップＳ３１８において送信された接続情報および当該接続先情報を受信した情報処理装置２００は、接続情報を受信した旨の接続情報の受信結果を通信端末１００へと送信する（Ｓ３２０；第１通信路による通信）。
【０１６５】
ステップＳ３２０において接続情報の受信結果を送信した情報処理装置２００、および当該接続情報の受信結果を受信した通信端末１００は、それぞれ第２の通信路に係る通信設定を行う。そして、通信端末１００および情報処理装置２００は、通信経路を第１の通信路から第２の通信路へと切り替える（Ｓ３２２）。なお、図６では明記していないが、ステップＳ３２２の処理以降の処理における通信端末１００と情報処理装置２００との通信は、第２の通信路で行われることとなる。
【０１６６】
ステップＳ３２２において通信路の切り替えが行われると、情報処理装置２００は、サービス提供装置３００へと接続させるための接続命令を通信端末１００に送信する（Ｓ３２４）。
【０１６７】
ステップＳ３２４において送信された接続命令を受信した通信端末１００は、当該接続命令に応じてダイヤルアップ接続を行い、サービス提供装置３００と通信可能な状態とする（Ｓ３２６）。そして、通信端末１００は、サービス提供装置３００と通信可能な状態となると、情報処理装置２００へ接続可能通知を送信する（Ｓ３２８）。また、通信端末１００は、端末側第１通信部１０２と端末側第３通信部１０６とを接続し、情報処理装置２００とサービス提供装置３００とを間接的に通信可能な状態とする。
【０１６８】
ステップＳ３２８において送信された接続可能結果を受信した情報処理装置２００は、通信端末１００を介して間接的にサービス提供装置３００へと接続し、サービス提供装置３００に対応するＷｅｂサイトにアクセスする（Ｓ３３０）。ここで、情報処理装置２００は、通信端末１００から取得した通信先情報に含まれるサイトＵＲＬの情報により、サービス提供装置３００に対応するＷｅｂサイトにアクセスすることができる。また、情報処理装置２００は、通信端末１００から取得した通信先情報に含まれるセッション情報をサービス提供装置３００へ伝達することによって、ステップＳ３００〜Ｓ３１４までの処理におけるセッションを引き継ぐことができる。
【０１６９】
ステップＳ３３０において情報処理装置２００と接続されたサービス提供装置３００は、伝達されたセッション情報に基づいて、サービスデータ（購入商品）のダウンロードの確認を行うダウンロード確認情報を、通信端末１００を介して情報処理装置２００へと送信する（Ｓ３３２）。
【０１７０】
ステップＳ３３２において送信されたダウンロード確認情報を受信した情報処理装置２００は、サービスデータのダウンロードを行う場合には、サービスデータのダウンロードを要求するダウンロード要求を、通信端末１００を介してサービス提供装置３００へ送信する（Ｓ３３４）。
【０１７１】
ステップＳ３３４において送信されたダウンロード要求を受信したサービス提供装置３００は、サービスデータを、通信端末１００を介して情報処理装置２００へと送信する（Ｓ３３６）。ここで、サービス提供装置３００が、ステップＳ３３６において送信するデータは、購入した商品に対応するサービスデータに限られない。例えば、サービス提供装置３００は、さらに、カタログデータや、広告情報、あるいは、セキュリティパッチ（security  patch）などを併せて送信することもできる。
【０１７２】
ステップＳ３３６において送信されたサービスデータを受信した情報処理装置２００は、受信したサービスデータの受信処理を行う（Ｓ３３８）。ここで、情報処理装置２００が行う受信処理としては、例えば、装置側記憶部２０２へのサービスデータの記録や、サービスデータのインストール、表示部２１２の表示画面への情報の提示などが挙げられるが、上記に限られない。
【０１７３】
ステップＳ３３８においてサービスデータの受信処理が完了すると、情報処理装置２００は、サービスデータのダウンロードが完了した旨のダウンロード完了通知を、通信端末１００を介してサービス提供装置３００へ送信する（Ｓ３４０）。ここで、ステップＳ３２４〜ステップＳ３４０までにおける情報処理装置２００の処理は、サービス処理に該当する。
【０１７４】
そして、情報処理装置２００は、サービス提供装置３００との間の通信を切断する通信切断要求と、第２通信路による通信を切断する通信切断要求とを通信端末１００へ送信する（Ｓ３４２）。
【０１７５】
ステップＳ３４２において各種通信切断要求を受信した通信端末１００は、サービス提供装置３００との間の通信を切断し（Ｓ３４４）、また、第２の通信路による通信を切断する（Ｓ３４６）。また、ステップＳ３４４において通信端末１００との通信が切断されたサービス提供装置３００は、売上の後処理としての売上完了処理を行う（Ｓ３４８）。なお、上記では、第２通信路による通信の切断を通信端末１００が行うことを示したが、上記に限られず、情報処理装置２００が行うこともできる。
【０１７６】
図６に示すように、本発明の実施形態に係る情報処理システム１０００における処理の第１の例では、大きく分けて（Ｉ）通信端末１００とサービス提供装置３００との間の処理、（ＩＩ）通信端末１００と情報処理装置２００との間の処理、および（ＩＩＩ）情報処理装置２００とサービス提供装置３００との間の処理、という独立した３つの処理が行われる。
【０１７７】
ここで、通信端末１００は、上述したように、情報処理装置２００との間の通信路の切り替えと、能動的な処理および受動的な処理の切り替えとを、情報処理装置２００との通信の中で自動的に行うことができる。また、情報処理装置２００は、上述したように、通信端末１００との間の通信路の切り替えや接続命令の生成を、通信端末１００との通信の中で自動的に行うことができる。情報処理システム１０００は、上述したような機能を有する通信端末１００および情報処理装置２００により構成されるので、ユーザに対して、上記（Ｉ）〜（ＩＩＩ）の処理があたかも一連の処理であるかのようにみせることができる。
【０１７８】
したがって、情報処理システム１０００を利用するユーザは、サービス提供装置３００において提供されているダウンロード販売サービスを、サービス提供装置３００と直接的に通信を行うことができない情報処理装置２００を用いてシームレスに享受することができる。
【０１７９】
（４−２）第２の例
上記では、図６を参照して、サービス提供装置３００においてダウンロード販売サービスが提供されている場合における情報処理システム１０００の処理の例を示した。しかしながら、ダウンロード販売サービスが提供されている場合における、本発明の実施形態に係る情報処理システム１０００の処理の流れは、図６に示す第１の例に限られない。そこで、次に、情報処理システム１０００における処理の第２の例として、機能制限や使用制限が設定されたコンテンツデータが情報処理装置２００の装置側記憶部２０２に予め記憶され、当該機能制限などを解除する場合おける処理について説明する。
【０１８０】
ここで、情報処理装置２００に予め記憶されているコンテンツデータとしては、例えば、試用期間制限や機能制限が設定されているアプリケーションや、再生制限が設定されている動画データ、あるいは、再生制限が設定されている音声データなどが挙げられるが、上記に限られない。また、上記コンテンツデータは、例えば、暗号鍵によって保護されていてもよい。以下では、情報処理装置２００に予め記憶されている上記のようなコンテンツデータを、基本的にサービスデータとよぶ。また、以下では、上記のようなコンテンツデータそれぞれに対応するサービス提供装置の接続先情報が、情報処理装置２００の装置側記憶部２０２に予め記憶されているものとして説明する。
【０１８１】
図７は、本発明の実施形態に係る情報処理システム１０００における処理の第２の例の流れを示す流れ図である。
【０１８２】
情報処理装置２００は、情報処理装置２００の装置側記憶部２０２に記憶されているサービスデータ（商品）に基づいて、購入する商品を選択する（Ｓ４００）。ここで、情報処理装置２００は、例えば、操作部２１４の操作入力に基づいてステップＳ４００の処理を行うことができる。
【０１８３】
また、情報処理装置２００は、商品が選択されると、例えば、「通信端末１００をタッチしてください」など、ユーザに対して通信端末１００へと接続するように促すメッセージ（通信要求情報）を表示部２１２に表示することができるが、上記に限られない。例えば、情報処理装置２００は、上記のようなメッセージを音声によってユーザに提示することもできる。
【０１８４】
ステップＳ４００において商品が選択されると、情報処理装置２００は、接続情報の取得を要求する接続情報取得要求を装置側第１通信部２０４を用いて通信端末１００へ送信する（Ｓ４０２；第１通信路による通信）。
【０１８５】
ステップＳ４００において送信された接続情報取得要求を受信した通信端末１００は、当該接続情報取得要求に応じて、接続情報を端末側第２通信部１０４を用いて情報処理装置２００へ送信する（Ｓ４０４；第１通信路による通信）。
【０１８６】
ステップＳ４０４において送信された接続情報を受信した情報処理装置２００は、図６のステップＳ３２０と同様に、接続情報を受信した旨の接続情報の受信結果を通信端末１００へと送信する（Ｓ４０６；第１通信路による通信）。
【０１８７】
ステップＳ４０６において接続情報の受信結果を送信した情報処理装置２００、および当該接続情報の受信結果を受信した通信端末１００は、図６のステップＳ３２２と同様に、それぞれ第２の通信路に係る通信設定を行う。そして、通信端末１００および情報処理装置２００は、通信経路を第１の通信路から第２の通信路へと切り替える（Ｓ４０８）。
【０１８８】
ステップＳ４０８において通信路の切り替えが行われると、情報処理装置２００は、図６のステップＳ３２４と同様に、サービス提供装置３００へと接続させるための接続命令を通信端末１００に送信する（Ｓ４１０）。
【０１８９】
ステップＳ４１０において送信された接続命令を受信した通信端末１００は、図６のステップＳ３２６と同様に、当該接続命令に応じてダイヤルアップ接続を行い、サービス提供装置３００と通信可能な状態とする（Ｓ４１２）。そして、通信端末１００は、サービス提供装置３００と通信可能な状態となると、図６のステップＳ３２８と同様に、情報処理装置２００へ接続可能通知を送信する（Ｓ４１４）。また、通信端末１００は、端末側第１通信部１０２と端末側第３通信部１０６とを接続し、情報処理装置２００とサービス提供装置３００とを間接的に通信可能な状態とする。
【０１９０】
ステップＳ４１４において送信された接続可能結果を受信した情報処理装置２００は、図６のステップＳ３３０と同様に、通信端末１００を介して間接的にサービス提供装置３００へと接続し、サービス提供装置３００に対応するＷｅｂサイトにアクセスする（Ｓ４１６）。
【０１９１】
ステップＳ４１６において情報処理装置２００と接続されたサービス提供装置３００は、情報処理装置２００から伝達されるステップＳ４００において選択された商品の情報に基づいて、サービスデータ（購入商品）のダウンロードの確認を行うダウンロード確認情報を、通信端末１００を介して情報処理装置２００へと送信する（Ｓ４１８）。
【０１９２】
ステップＳ４１８において送信されたダウンロード確認情報を受信した情報処理装置２００は、図６のステップＳ３３４と同様に、ダウンロード要求を、通信端末１００を介してサービス提供装置３００へ送信する（Ｓ４２０）。
【０１９３】
ステップＳ４２０において送信されたダウンロード要求を受信したサービス提供装置３００は、サービスデータを、通信端末１００を介して情報処理装置２００へと送信する（Ｓ４２２）。ここで、サービス提供装置３００が送信するサービスデータとしては、例えば、情報処理装置２００が購入を希望するコンテンツデータに対応するライセンスキーや暗号鍵、差分データ、あるいは、コンテンツデータそのものなどが挙げられるが上記に限られない。例えば、サービス提供装置３００は、さらに、カタログデータや、広告情報、あるいは、セキュリティパッチなどを併せて送信することもできる。
【０１９４】
ステップＳ４２２において送信されたサービスデータを受信した情報処理装置２００は、受信したサービスデータの受信処理を行う（Ｓ４２４）。ここで、情報処理装置２００が行う受信処理としては、例えば、コンテンツデータの機能制限や使用制限の解除や、表示部２１２の表示画面への情報の提示などが挙げられるが、上記に限られない。
【０１９５】
ステップＳ４２４においてサービスデータの受信処理が完了すると、情報処理装置２００は、図６のステップＳ３４０と同様に、ダウンロード完了通知を、通信端末１００を介してサービス提供装置３００へ送信する（Ｓ４２６）。ここで、ステップＳ４１６〜ステップＳ４２６までにおける情報処理装置２００の処理は、サービス処理に該当する。
【０１９６】
そして、情報処理装置２００は、図６のステップＳ３４２と同様に、サービス提供装置３００との間の通信を切断する通信切断要求と、第２通信路による通信を切断する通信切断要求とを通信端末１００へ送信する（Ｓ４２８）。
【０１９７】
ステップＳ４２８において各種通信切断要求を受信した通信端末１００は、図６のステップＳ３４４、Ｓ３４６と同様に、サービス提供装置３００との間の通信を切断し（Ｓ４３０）、また、第２の通信路による通信を切断する（Ｓ４３２）。また、ステップＳ４３０において通信端末１００との通信が切断されたサービス提供装置３００は、売上の後処理としての売上完了処理を行う（Ｓ４３４）。
【０１９８】
図７に示すように、本発明の実施形態に係る情報処理システム１０００における処理の第２の例では、大きく分けて（ｉ）通信端末１００と情報処理装置２００との間の処理、（ｉｉ）情報処理装置２００とサービス提供装置３００との間の処理、という独立した２つの処理が行われる。
【０１９９】
ここで、通信端末１００は、上述したように、情報処理装置２００との間の通信路の切り替えと、能動的な処理および受動的な処理の切り替えとを、情報処理装置２００との通信の中で自動的に行うことができる。また、情報処理装置２００は、上述したように、通信端末１００との間の通信路の切り替えや接続命令の生成を、通信端末１００との通信の中で自動的に行うことができる。情報処理システム１０００は、上述したような機能を有する通信端末１００および情報処理装置２００により構成されるので、ユーザに対して、上記（ｉ）、（ｉｉ）の処理があたかも一連の処理であるかのようにみせることができる。
【０２００】
したがって、情報処理システム１０００を利用するユーザは、サービス提供装置３００において提供されているダウンロード販売サービスを、サービス提供装置３００と直接的に通信を行うことができない情報処理装置２００を用いてシームレスに享受することができる。
【０２０１】
以上のように、本発明の実施形態に係る情報処理システム１０００は、通信端末１００と、情報処理装置２００と、サービス提供装置３００、…とを有する。通信端末１００は、情報処理装置２００とサービス提供装置３００、…との間の通信中継器の役目を果たし、情報処理装置２００とサービス提供装置３００、…とを間接的に通信可能とする。
【０２０２】
ここで、通信端末１００は、上述したように、情報処理装置２００との間の通信路の切り替えと、能動的な処理および受動的な処理の切り替えとを、情報処理装置２００との通信の中で自動的に行うことができる。また、情報処理装置２００は、上述したように、通信端末１００との間の通信路の切り替えや接続命令の生成を、通信端末１００との通信の中で自動的に行うことができる。情報処理システム１０００は、上述したような機能を有する通信端末１００および情報処理装置２００により構成されるので、ユーザに対して、各装置間における独立した処理（例えば、上記（Ｉ）〜（ＩＩＩ）や、上記（ｉ）、（ｉｉ））があたかも一連の処理であるかのようにみせることができる。つまり、情報処理システム１０００は、上述した（１）〜（３）に示すように処理の主体が変化するサービスに適用された場合であっても、従来の情報処理システムのようにユーザの利便性を著しく低下させることはなく、ユーザの利便性を向上させることができる。
【０２０３】
したがって、サービスを提供するサービス提供装置３００、…と通信端末１００を介して間接的に通信する情報処理装置２００を用いて、サービス提供装置３００、…において提供されるサービスをシームレスに受けることが可能な情報処理システム１０００が実現される。
【０２０４】
[情報処理システム１０００の適用例]
〔Ａ〕情報処理システム１０００における処理の第１の例に対応する適用例
（Ａ−１）
旅行先において、ユーザが携帯電話（通信端末１００の一例）を用いてサーバ（サービス提供装置３００の一例）へアクセスし、詳細な旅行ガイドを購入する。そして、ユーザは、携帯電話（通信端末１００の一例）をカー・ナビゲーション装置（情報処理装置の一例）へかざす。これによって、カー・ナビゲーション装置（情報処理装置の一例）には、上記旅行ガイドに係るデータが、携帯電話（通信端末１００の一例）を介してサーバ（サービス提供装置３００の一例）からダウンロードされる。
【０２０５】
（Ａ−２）
ドライブ中に、ユーザが携帯電話（通信端末１００の一例）を用いてサーバ（サービス提供装置３００の一例）へアクセスし、音楽データを購入する。そして、ユーザは、携帯電話（通信端末１００の一例）をカー・ナビゲーション装置（情報処理装置の一例）へかざす。これによって、カー・ナビゲーション装置（情報処理装置の一例）には、上記音楽データが、携帯電話（通信端末１００の一例）を介してサーバ（サービス提供装置３００の一例）からダウンロードされる。
【０２０６】
〔Ｂ〕情報処理システム１０００における処理の第２の例に対応する適用例
暗号鍵で保護された音楽コンテンツが予め記憶されたカー・ナビゲーション装置（情報処理装置の一例）において、ユーザが、所望するタイミングで当該音楽コンテンツの購入を選択する。そして、ユーザは、携帯電話（通信端末１００の一例）をカー・ナビゲーション装置（情報処理装置の一例）へかざす。これによって、カー・ナビゲーション装置（情報処理装置の一例）には、解除のための鍵情報が携帯電話（通信端末１００の一例）を介してダウンロードされ、当該音楽コンテンツの保護が解除される。
【０２０７】
〔Ｃ〕その他の適用例
（Ｃ−１）
ユーザが、例えば自己の車と友人の車との２台でドライブをしている場合において、当該ユーザが、携帯電話（通信端末１００の一例）に当該友人の電話番号を表示させて、携帯電話（通信端末１００の一例）をカー・ナビゲーション装置（情報処理装置の一例）へかざす。すると、カー・ナビゲーション装置（情報処理装置の一例）は、携帯電話（通信端末１００の一例）を介して上記友人の携帯電話へと接続する。これによって、ユーザは、上記友人とハンズフリーで通話を行うことができる。
【０２０８】
（Ｃ−２）
ユーザが、以前行ったチェーン店で受け取った携帯クーポンをカー・ナビゲーション装置（情報処理装置の一例）へかざす。カー・ナビゲーション装置（情報処理装置の一例）は、携帯電話（通信端末１００の一例）を介してサーバ（サービス提供装置３００の一例）へ接続する。これによって、カー・ナビゲーション装置（情報処理装置の一例）には、携帯クーポンに対応するチェーン店の最新マップ一覧情報が、携帯電話（通信端末１００の一例）を介してサーバ（サービス提供装置３００の一例）からダウンロードされる。
【０２０９】
（Ｃ−３）
ユーザが車を運転しているとき、カー・ナビゲーション装置（情報処理装置の一例）に登録されていない道路を通ると、カー・ナビゲーション装置（情報処理装置の一例）の表示画面に「地図を更新しますか？」というメッセージが表示される。そして、ユーザは、携帯電話（通信端末１００の一例）をカー・ナビゲーション装置（情報処理装置の一例）へかざす。これによって、カー・ナビゲーション装置（情報処理装置の一例）には、地図情報が、携帯電話（通信端末１００の一例）を介してサーバ（サービス提供装置３００の一例）からダウンロードされる。
【０２１０】
本発明の実施形態に係る情報処理システム１０００が適用されることによって、例えば、上記〔Ａ〕〜〔Ｃ〕のようなことが実現される。なお、本発明の実施形態に係る情報処理システム１０００の適用例が、上記〔Ａ〕〜〔Ｃ〕に限られないことは、言うまでもない。
【０２１１】
以上、本発明の実施形態に係る情報処理システム１０００を構成する構成要素として通信端末１００を挙げて説明したが、本発明の実施形態は、かかる形態に限られない。本発明の実施形態は、例えば、携帯電話やＰＨＳ（Personal  Handyphone  System）などの携帯型通信装置、ＵＭＰＣ（Ultra  Mobile  Personal  Computer）などのコンピュータ、ＰｌａｙＳｔａｔｉｏｎ  Ｐｏｒｔａｂｌｅ（登録商標）などの携帯型ゲーム機、など様々な機器に適用することができる。
【０２１２】
また、本発明の実施形態に係る情報処理システム１０００を構成する構成要素として情報処理装置２００を挙げて説明したが、本発明の実施形態は、かかる形態に限られない。本発明の実施形態は、例えば、ＰＣなどのコンピュータ、ＷＡＬＫ  ＭＡＮ（登録商標）などの音楽再生装置、カー・ナビゲーション装置など、様々な機器に適用することができる。
【０２１３】
（情報処理システム１０００に係るプログラム）
[通信端末１００に係るプログラム]
コンピュータを、本発明の実施形態に係る通信端末１００として機能させるためのプログラムによって、サービスを提供するサービス提供装置３００、…と通信端末１００を介して間接的に通信する情報処理装置２００を用いて、サービス提供装置３００、…において提供されるサービスをシームレスに受けることが可能な情報処理システム１０００が実現される。
【０２１４】
[情報処理装置２００に係るプログラム]
コンピュータを、本発明の実施形態に係る情報処理装置２００として機能させるためのプログラムによって、サービスを提供するサービス提供装置３００、…と通信端末１００を介して間接的に通信する情報処理装置２００を用いて、サービス提供装置３００、…において提供されるサービスをシームレスに受けることが可能な情報処理システム１０００が実現される。
【０２１５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０２１６】
例えば、図１では、情報処理装置２００が装置側第１通信部２０４と装置側第２通信部２０６との双方を内部に備える構成を示しているが、本発明の実施形態は、かかる構成に限られない。例えば、本発明の実施形態に係る情報処理装置は、装置側第１通信部２０４を外部に有する構成、すなわち、外部装置としての装置側第１通信部と接続される構成（例えば、リーダ／ライタと接続される構成）とすることもできる。上記の構成であっても、本発明の実施形態に係る情報処理装置は、通信端末１００から接続情報を取得することが可能であるので、上述した情報処理装置２００と同様の効果を奏することができる。
【０２１７】
また、上記では、コンピュータを本発明の実施形態に係る通信端末１００、情報処理装置２００として機能させるためのプログラム（コンピュータプログラム）が提供されることを示したが、本発明の実施形態は、さらに、上記プログラムを記憶させた記憶媒体も併せて提供することができる。
【０２１８】
上述した構成は、本発明の実施形態の一例を示すものであり、当然に、本発明の技術的範囲に属するものである。
【符号の説明】
【０２１９】
１００    通信端末
１０２    端末側第１通信部
１０４    端末側第２通信部
１０６    端末側第３通信部
１０８    端末側通信制御部
１１０    端末側処理部
１１４、２１２    表示部
２００    情報処理装置
２０２    装置側記憶部
２０４    装置側第１通信部
２０６    装置側第２通信部
２０８    装置側通信制御部
２１０    装置側処理部
３００    サービス提供装置
【図１】
0005223889.tif 000002
【図２】
0005223889.tif 000003
【図３】
0005223889.tif 000004
【図４】
0005223889.tif 000005
【図５】
0005223889.tif 000006
【図６】
0005223889.tif 000007
【図７】
0005223889.tif 000008